(57)【特許請求の範囲】
【請求項１】
解剖学的構造体への移植に適するデバイスであって、
第１の脚部を画定する第１組の複数のワイヤであり、該第１の脚部は第１の末端部を有し、第１組の複数の前記ワイヤは直径０．００５インチから約０．０１１インチである、ワイヤと、
第２の脚部を画定する第２組の複数のワイヤであり、第２の脚部は第２の末端部を有する、ワイヤと、
遠位端と基部とを有する共通ボディであり、前記共通ボディは、少なくとも第１組と第２組の複数のワイヤから形成され、前記共通ボディの基部は、両脚部の末端部に隣接し、且つ前記複数の組のうちの一つの組の少なくとも一つのワイヤの両端が前記共通ボディの遠位端に近接して位置し、前記共通ボディは周縁を有し、前記周縁において10 mmの減少を惹起させるために少なくとも167ｇ重を必要とするように構成されている、共通ボディ、
とを含む、デバイス。
【請求項２】
前記第１組と第２組の複数のワイヤはニチノールよりなる、請求項１に記載のデバイス。
【請求項３】
前記第１組と第２組の複数のワイヤは、ＦｅＰｔ、ＦｅＰｄ、又はＦｅＮｉＣｏＴｉよりなる、請求項１に記載のデバイス。
【請求項４】
前記第１組と第２組の複数のワイヤは、ＦｅＮｉＣ、ＦｅＭｎＳｉ又はＦｅＭｎＳｉＣｒＮｉよりなる、請求項１に記載のデバイス。
【請求項５】
前記第１組と第２組の複数のワイヤの各々は、約０．００５インチから約０．０１１インチのサイズの範囲の直径を有する、請求項１に記載のデバイス。
【請求項６】
前記第１組の複数のワイヤは、少なくとも５本のワイヤを含む、請求項１に記載のデバイス。
【請求項７】
前記脚部と前記共通ボディの両方は、実質的に均一な直径を有するチューブ形状である、請求項１に記載のデバイス。
【請求項８】
前記脚部の内の少なくとも一つが手編みである、請求項１に記載のデバイス。
【請求項９】
更に、少なくとも前記共通ボディに取り付けられる接木材料を備える、請求項１に記載のデバイス。
【請求項１０】
前記接木材料は、編まれたダクロンよりなる、請求項９に記載のデバイス。
【請求項１１】
前記接木材料は、ポリウレタンよりなる、請求項９に記載のデバイス。
【請求項１２】
前記接木材料はＰＴＦＥよりなる、請求項９に記載のデバイス。
【請求項１３】
ステントがさらに、第３の脚部を画定する第３組の複数のワイヤであり、第３の脚部は第３の末端部を有する、ワイヤを含み、
ここで、前記共通ボディは、少なくとも第１組、第２組、及び第３組の複数のワイヤから形成され、前記共通ボディの基部は、前記三つの脚部それぞれの末端部に隣接する、請求項１のデバイス。
【請求項１４】
前記複数の組それぞれのワイヤは、ニチノールよりなる、請求項１３に記載のデバイス。
【請求項１５】
前記第１組の複数のワイヤは、少なくとも５本のワイヤを含む、請求項１３に記載のデバイス。
【請求項１６】
前記それぞれの脚部と前記共通ボディは、実質的に均一な直径を有するチューブ形状である、請求項１３に記載のデバイス。
【請求項１７】
前記脚部の内の少なくとも一つは手編みである、請求項１３に記載のデバイス。
【請求項１８】
更に、少なくとも前記共通ボディに取り付けられる接木材料を備える、請求項１３に記載のデバイス。
【請求項１９】
前記接木材料は、編まれたダクロンよりなる、請求項１８に記載のデバイス。
【請求項２０】
前記接木材料は、ポリウレタンよりなる、請求項１８に記載のデバイス。
【請求項２１】
前記接木材料はＰＴＦＥよりなる、請求項１８に記載のデバイス。
【請求項２２】
解剖学的構造体への移植に適するデバイスを形成するための方法であって、前記デバイスは、第１の脚部、第２の脚部、及び共通ボディを有し、各脚部は、端と末端部とを有し、前記共通ボディは、基部と遠位端を有し、
前記方法は、
第１組の複数のワイヤ中の前記ワイヤを曲げて前記ワイヤに第１の曲げ部を形成することを含み、前記第１の曲げ部は、前記第１の脚部の前記端を画定するように配置され、前記第１組の複数のワイヤの各々が２つの端を有し、
第２組の複数のワイヤ中の前記ワイヤを曲げて前記ワイヤに第２の曲げ部を形成することを含み、前記第２の曲げ部は、前記第２の脚部の前記端を画定するように配置され、前記第２組の複数のワイヤの各々が２つの端を有し、
前記第１組の複数のワイヤの端を編んで前記第１の脚部を形成することを含み、第1の脚部のワイヤは、お互いに、第１の脚部が軸方向に圧縮されたときに増大する、第1の複数の角度を形成し、それぞれの角度はその中で鈍角であり、
前記第２組の複数のワイヤの端を編んで前記第２の脚部を形成することを含み、
両方の組のワイヤの端をテンプレートのまわりに編んで前記共通ボディと前記デバイスとを形成することを含み、
前記テンプレートから取り外すことなく前記デバイスを加熱処理することを含み、
ここで、前記共通ボディの基部は、両脚部の前記末端部に隣接し、前記共通ボディは周縁を有し、前記周縁において10 mmの減少を惹起させるために少なくとも167ｇ重を必要とするように構成されている、方法。
【請求項２３】
前記第１の曲げ部がベントである、請求項２２に記載の方法。
【請求項２４】
前記第１の曲げ部がループである、請求項２２に記載の方法。
【請求項２５】
前記第１組と第２組の複数のワイヤはニチノールよりなる、請求項２２に記載の方法。
【請求項２６】
前記第１組と第２組の複数のワイヤの各々は、約０．００５インチから約０．０１１インチのサイズ範囲の直径を有する、請求項２２に記載の方法。
【請求項２７】
前記第１組の複数のワイヤの端を編むことは手作業で行なわれる、請求項２２に記載の方法。
【発明の詳細な説明】
【技術分野】
【０００１】
（発明の背景）
本発明は１９９９年２月１日出願の米国特許仮出願第６０／１１８，１８５号および１９９９年３月１８日出願の米国特許仮出願第６０／１２５，１９２号から優先権の権利を享受する。これらの出願の開示すべては本出願に変更なく引用され組み込まれている。
【０００２】
本発明は自動膨張式の二又ステントおよびこれを解剖学的構造体の二又構造部に装入する装置および方法に関する。
【背景技術】
【０００３】
管状解剖学的組織に生じる狭窄障害の治療に金属ステントを使用することについては、多くの研究で報告されている（Ｗａｌｌａｃｅら１９８６（非特許文献１）；Ｐａｌｍａｚ，１９８８（非特許文献２）；Ｍｉｌｒｏｙら、１９８９（非特許文献３）；Ｇuｎｔｈｅｒら、１９８９（非特許文献４）；Ｒｉｖｉｎｇら、１９８９（非特許文献５））。これらのステントの戴置は外科的処置よりも非侵襲的であり、かつ多くの固体チューブ機器に比して管内のスペースを多く確保できる。それゆえ金属ステントは解剖学的構造体の狭窄障害治療のため広く利用されてきた。直線部の障害および湾曲部の障害どちらの治療にも何種かのステントが利用されてきた（Ｇｉｌｌａｍｓら、１９９０（非特許文献６））。
【０００４】
直線円筒状ステントにはいくつかの制限がある。その主なものが二又部に生じた障害の治療である（Ｎａｓｈａｆら、１９９２（非特許文献７））。直線状のステントをこれらの障害箇所に入れる方法については、一方ずつ入れる方法（Ｍｏｒｉｔａ、１９９７（非特許文献８））、切り抜け技術（Ｍｏｒｉｔａ、１９９７（非特許文献８）、Ｔ型構造の作成（Ｍｏｒｉｔａ、１９８７（非特許文献９））、Ｙ型ステント（Ｆｏｒｔ、１９９７（非特許文献１０））、Ｖ型ステントの挿入（Ｓｃｈａｍｐａｅｒｔ、１９９６（非特許文献１１））など、さまざまな方法が考えられてきた。しかしながら、理想的な方法はいまだ確立されていない。というのも、市販されているステントは直線で円筒状のものしかないからである。
【０００５】
加えて、こういったステントを血管の二又分岐部またはその近辺で利用すると、一次血管および／または二又部の分岐点の開放度に悪影響を及ぼす恐れがある。これは病巣部の転移、血管痙攣、内膜のはためきを伴う、または伴わない解離、血栓、塞栓症などの障害につながる恐れがある。例としては、二又血管または非血管部の障害は二つの直線円筒状のステントをＹ型にして二又部にかけるようにすることができる。一方のステントは長くしてＹの一方の枝部と根元部を、もう一方のステントはこの長いステントに取り付け、Ｙ字のもう一方の枝部を形成するようにする。この状態だと、この二つのステントの接合部で長い方のステントの網の目が血液や胆汁の良好な流れを妨げるため、短い方のステントの明白性が脅かされる。こういった接合方式では血栓を形成する傾向が高く、結果として血管系の閉塞、狭窄、胆汁系のうっ血、炎症、ついには胆汁系の閉塞が生じる。気管系では、粘液がたまり、重症の咳、感染症を惹き起し、その病巣部でガス交換ができなくなってしまう。
【先行技術文献】
【非特許文献】
【０００６】
【非特許文献１】Ｗａｌｌａｃｅら１９８６
【非特許文献２】Ｐａｌｍａｚ，１９８８
【非特許文献３】Ｍｉｌｒｏｙら、１９８９
【非特許文献４】Ｇuｎｔｈｅｒら、１９８９
【非特許文献５】Ｒｉｖｉｎｇら、１９８９
【非特許文献６】Ｇｉｌｌａｍｓら、１９９０
【非特許文献７】Ｎａｓｈａｆら、１９９２
【非特許文献８】Ｍｏｒｉｔａ、１９９７
【非特許文献９】Ｍｏｒｉｔａ、１９８７
【非特許文献１０】Ｆｏｒｔ、１９９７
【非特許文献１１】Ｓｃｈａｍｐａｅｒｔ、１９９６
【発明の概要】
【０００７】
本発明の一つの態様は、解剖学的構造体への移植に適するデバイスであって、第一の末端部を有する第一の脚部を固定する第一の複数のワイヤと、第二の末端部を有する第二の脚部を固定する第二の複数のワイヤと、遠位端と基部とを有する共通ボディと、を備えるが、これに限られたものではない。前記共通ボディは、少なくとも第一と第二の複数のワイヤから形成される。前記共通ボディの基部は、両脚部の末端部に隣接し、かつ前記複数のうちの一方の複数からの少なくとも一つのワイヤの両端が前記共通ボディの遠位端に近接して（近くに）位置される。
【０００８】
前記第一と第二の複数のワイヤは、ＦｅＰｔ、ＦｅＰｄ、またはＦｅＮｉＣｏＴｉよりなる。前記第一と第二の複数のワイヤは、ＦｅＮｉＣ、ＦｅＭｎＳｉ、ＦｅＭｎＳｉＣｒＮｉよりなる。前記第一と第二の複数のワイヤの各々は、約０．００６インチから約０．０１４インチのサイズ範囲の直径を有する。前記第一の複数のワイヤは、少なくとも６本のワイヤを含む。前記脚部と前記共通ボディの両方は、実質的に均一な直径を有するチューブ形状である。前記脚部の内の少なくとも一つが手編みである。前記脚部の内の少なくとも一つが機械編みである。このデバイスは更に、少なくとも前記共通ボディに取り付けられる接木材料を備えることもできる。前記接木材料は、編まれたダクロンよりなる。前記接木材料は、ポリウレタンよりなる。前記接木材料は、ＰＴＦＥよりなる。
【０００９】
本発明の別の態様は、ステントであって、第一の末端部を有する第一の脚部を形成するために編まれた第一の複数のフレキシブルチューブ状ストランドを備えるが、これに限られたものではない。前記複数の第一のフレキシブルチューブ状ストランドは、第一の複数の角度を形成するように互いに交差されている。前記角度の内の少なくとも一つが鈍角である。このステントはまた、第二の末端部を有する第二の脚部を形成するために編まれた第二の複数のフレキシブルチューブ状ストランドを備えるが、これに限られたものではない。前記複数の第二のフレキシブルチューブ状ストランドは、第二の複数の角度を形成するように互いに交差されている。前記角度の内の少なくとも一つが鈍角である。このステントはまた、共通部分を有する共通ボディを備えるが、これに限られたものではない。前記共通ボディは、少なくとも前記第一と第二の複数のフレキシブルチューブ状ストランドから形成されている。前記共通ボディの共通部分は、前記第一と第二の脚部の末端部に隣接する。
【００１０】
前記第一と第二の複数の前記フレキシブルチューブ状ストランドは、ニチノールまたは生物分解可能フィラメントよりなる。
【００１１】
本発明の別の態様はステントであって、第一の末端部を有する第一の脚部を固定する第一の複数のワイヤを備えるが、これに限られたものではない。このステントはまた、第二の末端部を有する第二の脚部を固定する第二の複数のワイヤを備えるが、これに限られたものではない。このステントはまた、第三の末端部を有する第三の脚部を固定する第三の複数のワイヤを備えるが、これに限られたものではない。このステントはまた、遠位端と基部とを有する共通ボディを備えるが、これに限られたものではない。前記共通ボディは、少なくとも第一と第二と第三の複数のワイヤから形成され、前記共通ボディの基部は前記三つの脚部の末端部に隣接する。
【００１２】
前記複数の各々中の前記ワイヤはニチノールよりなる。前記第一の複数のワイヤは、少なくとも５本のワイヤを含む。前記脚部と前記共通ボディの各々は、実質的に均一な直径を有するチューブ形状である。前記脚部の少なくとも一つが手編みまたは機械編みである。このステントは更に、少なくとも前記共通ボディに取り付けられる接木材料を備えることもできる。前記接木材料は、編まれたダクロンよりなる。前記接木材料は、ポリウレタンよりなる。
【００１３】
本発明の別の態様は、ステントであって、第一の軸と第一の端を有する第一の脚部を備えるが、これに限られたものではない。この脚部はまた、第一のセグメントと第二のセグメントを有する第一のワイヤよりなるが、これに限られたものではない。これらのセグメントは、第一の脚部の第一の端に近接して位置する第一のワイヤの曲がりによって分離され、前記第一のセグメントは、前記第一の脚部の第一の端から離れるように前記第一の軸回りに第一の方向へ螺旋状に延出し、前記第二のセグメントは、前記第一の脚部の第一の端から離れるように前記第一の軸回りに第二の方向へ螺旋状に延出し、前記第一のセグメントと前記第二のセグメントが前記第一の複数の位置において互いに交差する。このステントはまた、第二の軸と第二の端を有する第二の脚部を備えるが、これに限られたものではない。この第二の脚部はまた、第一のセグメントと第二のセグメントを有する第二のワイヤよりなるが、これに限られたものではない。これらのセグメントは、第二の脚部の第二の端に近接して位置する第二のワイヤの曲がりによって分離され、前記第二のワイヤの第一のセグメントは、前記第二の脚部の第二の端から離れるように前記第二の軸回りに第一の方向へ螺旋状に延出し、前記第二のワイヤの前記第二のセグメントは、前記第二の脚部の第二の端から離れるように前記第二の軸回りに第二の方向へ螺旋状に延出し、前記第一のセグメントと前記第二のセグメントが前記第二の複数の位置において互いに交差する。このステントはまた、前記ワイヤの各々の少なくとも一端から形成される共通ボディを備えるが、これに限られたものではない。
【００１４】
前記第一のワイヤの前記第一のセグメントは、前記第一の複数の位置の内の少なくとも一つの位置で前記第一のワイヤの前記第二のセグメントよりも前記第一の軸から更に遠くに位置される。前記第一のワイヤの前記第一のセグメントは、前記第一の複数の各位置で前記第一のワイヤの前記第二のセグメントよりも前記第一の軸から更に遠くに位置される。前記第一と第二のワイヤはニチノールよりなる。
【００１５】
本発明の一つの態様は、解剖学的構造体への移植に適するデバイスを生成するための方法であって、前記デバイスは、第一の脚部、第二の脚部および共通ボディを備える。各脚部は、端と末端部とを有す。前記共通ボディは、基部と末端部を有す。この方法は、第一の複数のワイヤ中の前記ワイヤを曲げて前記ワイヤに第一の曲げ部を生成することを含むが、これに限られたものではない。前記第一の曲げ部は、前記第一の脚部の前記端を固定するように配置される。前記第一の複数のワイヤの各々は二つの端を有す。この方法はまた、第二の複数のワイヤ中の前記ワイヤを曲げて前記ワイヤに第二の曲げ部を生成することを含むが、これに限られたものではない。前記第二の曲げ部は、前記第二の脚部の前記端を固定するように配置される。前記第二の複数のワイヤの各々は二つの端を有す。この方法はまた、前記第一の複数のワイヤの端を編んで前記第一の脚部を生成すること、前記第二の複数のワイヤの端を編んで前記第二の脚部を生成すること、両方の複数のワイヤの端を編んで前記共通ボディと前記デバイスとを生成することを含むが、これに限られたものではない。前記共通ボディの基部は、両脚部の末端部に隣接する。
【００１６】
前記第一の曲げ部はベンドまたはループである。前記第一と第二の複数のワイヤはニチノールよりなる。前記第一と第二の複数のワイヤの各々は、約０．００６インチから約０．０１４インチのサイズ範囲の直径を有する。前記第一の複数のワイヤの端を編むことは手編みか機械編みで行われる。
【００１７】
本発明の一つの態様は、ステントを生成するための方法であって、前記ステントは、第一の脚部、第二の脚部および共通ボディを備える。各脚部は、端と末端部とを有す。前記共通ボディは、基部と末端部を有す。この方法は、第一のテンプレート突起、基部端、遠位端を有する第一のテンプレートを含む編みこみシステムを含むが、これに限られたものではない。この方法はまた第一の複数のワイヤ中の前記ワイヤを曲げて前記第一のテンプレート突起に巻きつけてワイヤに第一の曲げ部を生成することを含むが、これに限られたものではない。前記第一の曲げ部は、前記第一の脚部の前記端を固定するように配置される。前記第一の複数のワイヤの各々は二つの端を有す。この方法はまた第二の複数のワイヤ中の前記ワイヤを曲げてワイヤに第二の曲げ部を生成することを含むが、これに限られたものではない。前記二の曲げ部は、前記第二の脚部の前記端を固定するように配置される。前記第二の複数のワイヤの各々は二つの端を有す。この方法はまた、前記第一の複数のワイヤの端を編んで前記第一の脚部を生成すること、前記第二の複数のワイヤの端を編んで前記第二の脚部を生成すること、両方の複数のワイヤの端を編んで前記共通ボディと前記ステントとを生成することを含むが、これに限られたものではない。前記共通ボディの基部は、両脚部の末端部に隣接する。
【００１８】
この編み込みシステムはまた、第二のテンプレート突起、基部端、遠位端を有する第二のテンプレート、第三のテンプレート突起、基部端、遠位端を有する第三のテンプレートを含むが、これに限られたものではない。第一、第二のテンプレートの末端部は第三のテンプレートの基部端内に位置されることができる。前記第二の複数のワイヤ内のワイヤを曲げる工程では第二の複数のワイヤ中の前記ワイヤを曲げて前記第二のテンプレート突起に巻きつけてワイヤに第二の曲げ部を生成することを含む。前記第一、第二の複数のワイヤ中の前記ワイヤ端を編みこむ工程では、前記第一、第二の複数のワイヤ中の前記ワイヤ端を前記第三のテンプレート突起に巻きつけて編み込み、共通ボディとステントを生成することを含む。
【００１９】
この編み込みシステムはまた、基部端、遠位端、第二のテンプレート回りで前記基部端の近辺（近く）に配置された第二のテンプレート突起、および、第二のテンプレートの基部端と遠位端間に位置された開口部を有する第二のテンプレートを含むが、これに限られたものではない。前記開口部は前記第一のテンプレートの前記末端部を受け入れるよう構成されている。前記第二の複数のワイヤ内のワイヤを曲げる工程では第二の複数のワイヤ中の前記ワイヤを曲げて前記第二のテンプレート突起に巻きつけてワイヤに第二の曲げ部を生成することを含む。前記第二の複数のワイヤ中の前記ワイヤ端を編みこむ工程では、前記第二の複数のワイヤ中の前記ワイヤ端を前記開口部に近い前記第二のテンプレート部分に巻きつけて編み込み、第二の脚部を生成することを含む。前記第一、第二の複数のワイヤ中の前記ワイヤ端を編みこむ工程では、前記第一、第二の複数のワイヤ中の前記ワイヤ端を前記開口部から離れた前記第二のテンプレート部分に巻きつけて編み込み共通ボディとステントを生成することを含む。
【００２０】
第一のテンプレート突起は、第一のテンプレートに契合したリングに取り付けられたピンである。この方法はまた第一の複数のワイヤ中の前記ワイヤを前記第一のテンプレートで確保することを含むが、これに限られたものではない。この方法はまた第一、第二の複数のワイヤ中の前記ワイヤ端で閉鎖構造を形成することを含むが、これに限られたものではない。この閉鎖構造は共通ボディの末端部を規定するよう配置されている。この方法はまた前記ステント、第一のテンプレートを加熱することを含むが、これに限られたものではない。
【００２１】
以下の図面は本明細書の部分をなし、本発明のいくつかの態様を示すため含まれたものである。本発明はここに示された具体例の説明とともにこれらの図面を参照することにでより理解することができる。
【００２２】
（具体例の詳細な説明）
図１Ａに示すとおり、本発明はステント１０からなり、これは共通主要ボディ２０と付属品一つからなる２つの脚部３０を含む。放射状に膨張可能でフレキシブルなチューブ状のステント本体は平編法で形成できる。平編ワイヤの構成は図１Ｂに示す。以下のほとんどの部分で述べるとおり、編み方は二つの別々のまっすぐなテンプレートでまず脚部３０を形成することから始め、続いて一つのまっすぐなテンプレートで共通ボディ２０を形成する。ステント１０はニチノールワイヤよりなり、ニチノールの優れた弾力性を享受できる。本発明の１実施例では、ニチノールは５５−５６％のニッケルおよび約４５−４４％のチタンからなる（カリフォルニア州サンタクララのシェイプ・メモリ・アプリケーション社より発売）。ステント１０はまた優れた弾力性またはこれに近い弾力性を有す材料なら何からでも製造可能であることはもちろんである。たとえばＦｅＰｔ、ＦｅＰｄ、ＦｅＮｉＣｏＴｉなどの熱弾力性マルテンサイト変態する形状記憶合金、同様にＦｅＮｉＣ、ＦｅＭｎＳｉ、ＦｅＭｎＳｉＣｒＮｉなどの応力誘導マルテンサイトによる形状記憶効果を持つ材料も利用できる。
【００２３】
図１に示すように、脚部３０の端１５は複数の閉鎖構造を有する。これら閉鎖構造は、小さく閉じたループ４５またはベンド５０のどちらでもよい。ベンド５０と小さく閉じたループ４５はどちらもワイヤ４０をワイヤの曲げ部の間の選択した箇所でワイヤを曲げることによって形成できる。多くの場合、ベンドまたは小さく閉じたループの選択箇所はワイヤ４０の中間点に近い。この閉鎖構造、たとえば曲げることによって形成される閉鎖構造は、ワイヤの端を閉じないままにしておく場合に比べ、チューブ構造に貫通、穿孔などの損傷を与える可能性が少ないため有益である。
【００２４】
更に、米国特許第４，６５５，７７１号から本明細書に参考として組み込まれたＷａｌｌｓｔｅｎ（１９８７）に開示されたステント（以下このステントを「Ｗａｌｌｓｔｅｎｔ」と称す）などのワイヤの端を閉じないままにしてある編デバイスに比して、ループ４５およびベンド５０は多くの、そのうちいくつかは予期しない重要な利点を有している。例えば、Ｗａｌｌｓｔｅｎ特許はＷａｌｌｓｔｅｎｔの閉じないままの先鋭な自由ワイヤ端は潜在的に組織を損傷する危険を有していると野明確な認識において、これを保護するべきであると認めている。Ｗａｌｌｓｔｅｎ特許はＵ型部品を自由ワイヤ端に熱溶接、接着などによって取り付け、これらをつなげる等、こういった危険を減ずるための方法を提示している。これら提示された方法は時間がかかり、結果として高価である。以下、ほとんどの部分で述べるとおり、本発明の二又ステントのループ４５またはベンド５０を作るときはそういった手間をかける必要がない。
【００２５】
更に、これらＷａｌｌｓｔｅｎ特許に開示された方法は本発明の二又ステントのループ４５またはベンド５０よりも機械的欠陥を惹き起しやすい。例えば、溶接はクラック（これは不均等な凝固、凹凸のある接合面などにより生じる）、ボイド、その他多孔性に起因する異常、インクルージョン（スラッグ、酸化などを含む）などの異常が溶接された金属に生じやすいため、応力が集中し、溶接接合点で欠陥が生じる可能性が非常に高くなる。反して、ループ４５およびベンド５０の緩やかな湾曲と折曲はこういった応力を惹き起すことはまったくなく、結果として溶接に比べ欠陥を起こす可能性は非常に低い。
【００２６】
Ｗａｌｌｓｔｅｎ特許はまたこれらの自由ワイヤ端の接着を提示しているが、構造的には溶接よりも一体性が低い。自由ワイヤ端間の接合は、接着剤と使用した金属間の表面張力と同じだけの強さしか持たないためである。結論としては接着による形成方法は前記の異常を生じる溶接よりなお欠陥を惹き起しやすい。
【００２７】
同様に、Ｗａｌｌｓｔｅｎ特許はまず電気抵抗熱の利用でステントを囲むリング内にこれらの自由ワイヤ端の交差点を溶接し、次に制御された熱による軽量プラスチック変形で自由ワイヤ端を溶接されたリングの内側に折り曲げる方法を開示している。この方法は溶接により前述した異常が惹き起されるばかりか、加熱中に自由ワイヤ端が内側に折りたたまれる接合部に応力がかかる可能性がある。そのため、溶接だけによる場合よりも欠陥が生じやすいという意味においては、この接合も接着による接合と同様である。
【００２８】
結論としては、本発明の編二又ステントのループ４５およびベンド５０を形成するのに利用される緩やかな湾曲と折曲はより安全な端部を持つデバイスを提供する。すなわち、意図せずに配送された先の組織壁を穿孔および損傷する自由ワイヤ端がなく、溶接または接着によって接合された自由ワイヤ端に比べ、ループ４５またはベンド５０は欠陥を起こす可能性が低く、また複数の溶接または接着などの接合をするための時間のかかる作業がない。更に、閉鎖構造５５（以下更に詳細に説明）はＷａｌｌｓｔｅｎ特許で提示された方法（溶接など）によっても補強可能であるが、本発明の編二又ステントは本発明のステントの脚部の端部などベンドまたはループなどの方法を適用する場所が非常に少ないということである（これは特に、同サイズのＷａｌｌｓｔｅｎｔｓを形成するのに必要なワイヤに比べ本発明のステントの脚部を形成するワイヤが一般的に少ない、たとえばＷａｌｌｓｔｅｎｔｓを形成するのに２本必要とすれば本発明では１本、というようなことを考えた場合に明確である）。結論として、本発明の編デバイスによって機械的欠陥の可能性が低くなったということである。
【００２９】
前記利点に加え、ループ４５およびベンド５０はＷａｌｌｓｔｅｎ特許に開示された前記改良自由ワイヤ端に勝る予期せぬ効果を有している。例えば、発明者らは本発明の編二又ステントの脚部の一つのメッシュが、同サイズのＷａｌｌｓｔｅｎｔｓのメッシュを形成するのに必要なワイヤに比べ少なくてすむ（Ｗａｌｌｓｔｅｎｔｓを形成するのに２本必要とすれば本発明では１本）事を発見した。したがって、メッシュの目（図１の角ａ。以下で詳述）を細かくするだけで、あるサイズの本発明の編二又ステントの脚部の一つの拡張力が、同サイズのＷａｌｌｓｔｅｎｔｓの拡張力を維持するため必要なワイヤより少ないワイヤで維持できるのである。同様に、発明者らは同様の効果がメッシュの目を調節してもしなくてもワイヤの直径を大きくすることにより得られることを発見した。したがって、本発明の編二又ステントの脚部を形成するのに必要な金属が、同サイズの、たとえばＷａｌｌｓｔｅｎｔｓの編ステントに必要な量より少なくてすむということである。必要な金属が少なくてすむということはコスト削減が可能であるということであり、また患者が血栓及び／または再狭窄にかかる可能性が少ないということでもある。結論として、本発明の編二又ステントの脚部のサイズ、折り目の細かさは事実上無制限ということであり、これによって適用範囲が拡がるのである。
【００３０】
更に発明者らは本発明の編二又ステントを折り曲げる際、収縮が起こらず、また本発明の編二又ステントの脚部または共通ボディの直径が大きくなることもないことを発見した。したがって、曲がりくねった解剖学的構造体の中での正確かつ予定通りの位置決めが、たとえばＷａｌｌｓｔｅｎｔｓなど、折り曲げる際に収縮したり直径が大きくなる他の編ステントに比べて、本発明の編二又ステントは容易であるということである。例えば、密に編んだ本発明の編二又ステントの脚部は、その先から共通ボディまでの長さが２．５ｃｍ（図１Ａ参照）、直径１０ｍｍ、１０本の０．００６インチのワイヤから形成されているが、脚部の端部１５を最大で共通ボディにつくまで折り曲げる。この最大折り曲げ時に、収縮が起こらず、直径が大きくなることもない。対して、発明者らが２４本の０．００５インチのワイヤから形成されたＷａｌｌｓｔｅｎｔｓで同様に計測を行ったところ、脚部長さが６ｃｍ、直径９ｍｍであった。しかし、同様の作業を行ったところ、Ｗａｌｌｓｔｅｎｔｓは直径が１０％増加し、いくらかの収縮も起こった。したがって、長さと直径の比は、これらのステントでそれぞれ２．５と６．６ということになった。
【００３１】
少なくとも５本のワイヤ（使用されるワイヤの数はｎとする）がステント１０の脚部３０それぞれを形成する複数のワイヤとして使用される。この脚部３０それぞれを形成するワイヤ数は変更できる。図１Ａに示すとおり、ステント１０の脚部３０と共通ボディ２０を形成するワイヤ４０は、さまざまな位置でさまざまな角度で交互に交差している。交差するワイヤ間の角度は鈍角、すなわち、９０°以上が望ましい（図１Ａの角ａ参照）。しかしながら、鋭角もまた利用することができる。１例では、腸骨動脈などに適用するため約１５０°に設定してある。別の例では、胆汁系（腫瘍障害など）などに適用するため約１６０°に設定してある。また別の例では、上大静脈（障害のある場所など）などに適用するため約１７０°に設定してある。角度ａは二又ステントの脚部および共通ボディの望ましい放射（すなわち拡張）力が増加するに従い増加する。さらに、二又ステントの脚部および共通ボディの放射力は、一般に使用するワイヤの直径が増加するに従い増加する。そのため、角度ａは使用するワイヤの直径が増加する一方一定に保たれる。結果として、二又ステントの脚部および共通ボディの放射力は増加する。編みは隣接しており、すなわち共通ボディの編みは二つの脚部の編みと共通ボディ２０（二又部）の基部端２５の底線からなっており、２ｎ本のワイヤ（同数のワイヤが各脚部に使用されていると仮定）が二又ステント１０の共通ボディ２０に使用されている。図からわかるように、脚部３０の末端部３２は共通ボディ２０の基部端２５に隣接して位置している。閉鎖構造５５を形成するため、共通ボディ２０の末梢または先端部２８（ステント冠）においてワイヤ端４２が組み合わされる。共通ボディ２０は少なくとも脚部３０を形成しているワイヤから形成されているため、脚部それぞれから出ている少なくとも一本のワイヤ端の双方の端部は、共通ボディ２０の末端部２８に近接して位置している。ワイヤ４０は、デバイスの目的によって約０．００５インチから約０．０１５インチの直径を有す。
【００３２】
ここで、「末端部」「基部」といった用語は、比較によるものにすぎない。発明者らはこの用語によって何らの制限も設けるものではない。例えば、図１Ａについて述べたように、共通ボディ２０の端部２５は「基部」として述べ、共通ボディ２０の端部２８は「末端部」として述べている。この文脈では、他の全ての文脈と同様に、単に図の観察者、ステントを乗せるデリバリデバイスのオペレータ、その他への近接関係を示しているだけである。したがって、端部２５は端部２８よりも図１Ａの観察者に近いため端部２５は「基部」として述べ、端部２８は「末端部」として述べたものである。同様に、図５について後述するように、ステント１０の向きは図５では図１Ａに示したものと逆になっている。したがって、図５で後述するが、鞘１９０はステントの「基部」端の上に向いている。この同じ端部は図１Ａでは「末端部」端２８として示されている。
【００３３】
二又ステント１０もまた二つのワイヤから形成されている。図１Ｃで示されているように、脚部３０は軸部３１および端部１５（これは基部端としてあらわす）を有している。脚部それぞれは単独ワイヤ４０から形成されているように示されている。単独ワイヤ４０の第一のセグメント４６は、単独ワイヤ４０の第二のセグメント４７からワイヤの曲げ部（ループ４５において。しかしベンド５０でも可）によって分離されている。これらのセグメントは、脚部３０の端部１５に近接して位置している。図１Ｃに見られるように、第一のセグメント４６は、脚部の端部１５から離れるように軸３１回りに第一の方向へ螺旋状に伸びている。同様に、第二のセグメント４７は、脚部の端部１５から離れるように軸３１回りに第二の方向へ螺旋状に延出している。第一のセグメント４６は第二のセグメント４７と複数の位置４８において互いに交差している。図１Ｃに示すように、この位置４８がループ４９を規定しており、ループが隣接するように互いに接している。ループ４９は、第一のループと最後のループを除き、各々一点―すなわち、位置４８を二つのループで共有しているため、「隣接」している。
【００３４】
更に図１Ｃを見ると、第二のセグメント４７の端部４２は脚部３０の末端部、基本ボディ２０の基部に近接して位置している。これら端部４２は（図に示すように）互いに離れて、あるいは互いに組み合わされて（後述するが図では不指示）閉鎖構造を形成している。第一のセグメント４６の端部４２は図１Ｃに示すように、基本ボディ２０を形成するよう示されている。第一のセグメント４６は、脚部３０を形成するワイヤの第一のセグメントと第二のセグメントが軸３１周りに配されていると同様、基本ボディ２０の軸２１周りに配されている。第一のセグメント４６は複数の位置４８において互いに交差している。脚部３０と同様、この位置４８がループ４９を規定しており、ループが隣接するように互いに接している。第一のセグメント４６の端部４２は互いに組み合わされて閉鎖構造５５を形成している。
【００３５】
第一および第二ののセグメント４６、４７は互いに軸３１を置いて独立して配置されている。図１Ｃに示すように、第一のセグメント４６は、一つおきの位置４８で第二のセグメント４７よりも軸３１から更に遠くに位置されている。図には示さないが、当業者なら開示の内容から理解するとおり、第一のセグメント４６は、すべての位置４８で第二のセグメント４７よりも軸３１から更に遠くに位置されている。これは第一のセグメント４６と軸２１の関係についてもいえる。
【００３６】
図１Ｃに示すように、ステント１０の例では、ループ４９は脚部３０と共通ボディ２０のための二つのグループの平面（不図示）を含む一連の平面内にある。このグループの一方は第一、第三、第五、などのループ４９を通っている平面を有しており、もう一方は第二、第四、第六、などのループ４９を通っている平面を有している。それぞれのグループの平面はほぼ互いに平行している。加えて、本体１０が束縛されていない状態で、一方のグループの平面はもう一方のグループ（これが脚部のものか共通ボディのものかどうかが問題）の平面と０°−４５°の範囲の鋭角で交差している。更に、軸３１と２１は一般的にステント１０の脚部３０と共通ボディ２０のためのループ４９各々の中心を通っている。
【００３７】
代表的な例では、ステント１０の脚部３０は、手編みや機械編みを含むさまざまな平編方法によって形成されている。以下に述べる工程は本発明による平編の代表的な例である。図１１に示すように、ステントの脚部の選択された直径に相当する直径を有するテンプレート３００が配されている。テンプレートの上面にはホール３０２がその周面に沿って形成されている。ピン３０４はテンプレートの表面を越えて反対側に伸びるようこのホールを貫通している。図１１に見られるように、ワイヤ４０はこのピンの周囲でほぼその中点で折り曲げられている。この曲げが図に示されるようにベンド５０を形成し、あるいはワイヤがこのピンの周囲に巻き付けられて小口径ループ４５（不図示）を形成する。脚部３０の例では、小口径ループ４５またはベンド５０の角１７（図１Ａ）は９０°より小さい。更に典型的な脚部３０の例では、角１７は９０°以上であり、１８０度以下である。
【００３８】
図１１では２つのピンしか示していないが、これは単に図を明確にするためのもので、目的のため最適なワイヤの数を示したものではない。代表的な例では、テンプレート３００は真鍮または銅で形成されているが、後述する治療温度に耐えられる材質であればどんなもので形成されていてもよい。同様に、代表的な例では、ピン３０４はステンレスで形成されているが、同様に適した材質であればどんなもので形成されていてもよい。このピンは治療温度に耐えられる方法、たとえば前形成、溶接や縫込みによる取付けなどの方法により、代表的テンプレートによって支持されているものである。
【００３９】
図１２に示すように、ワイヤがピン周囲で曲げられた後、ワイヤは、もともとのまっすぐで曲げられていない状態に戻ってしまうことを防ぐためテンプレートによって確保される。これにはニチノールなど優れた弾力性を有したワイヤを使用することが必要である（後述）。図１２において、ワイヤ４０は、テンプレートの外部に対しワイヤ４０を確保するよう確保用ワイヤ３０６で周囲に巻きつけられるよう確保される。代表的な例では銅が確保用ワイヤ３０６として使用されるが、後述する約５００℃の治療温度に耐えられる材質であればどんなもので形成されていてもよい。ワイヤが確保された後、小さな錘３６０（図１５参照）が縛るなど適した方法でワイヤの自由端に取り付けられる。代表的な例では約５０−１００ｇの質量を有した錘が約０．００５インチから約０．０１１インチの直径を有すワイヤに一般的に用いられる。しかしながら、ワイヤが平編みの最中（後述）張力を維持する限り（すなわち直線状であること）、また中心に適切にバランスを取れる限り（後述）、その他の質量を有する錘も選択できる。
【００４０】
図１３に示すように、円板３２０を有するスタンド３３０は開口部３２５が形成されている。この開口部の直径はテンプレートの直径による。代表的な例では、直径約４．５ｃｍの開口部が直径１．０ｃｍのテンプレートとともに一般的に利用されている。しかしながら、さらにテンプレートの直径に近い直径の開口部も利用できる。またテンプレート３００は、図２３に示す共通ボディのためのテンプレート４００内への位置決めを容易にするため、ほぼ「ｄ型の」端部３０１を有す。
【００４１】
図１４に示すように、ワイヤに錘が取り付けられる前またはその後、テンプレートがひっくり返される。代表的な例ではこれらの錘はテンプレートがひっくり返される前にワイヤが張力を維持し、もともとのまっすぐで曲げられていない状態に戻ってしまうことを防ぐためワイヤの自由端に取り付けられる。中心錘３４０がその後テンプレートの端部に取り付けられる。代表的な例ではこの中心錘は約６００ｇの質量を有しており、一般的にはピンから吊るされる。しかしながら、この中心錘は、ワイヤが平編みの最中（後述）張力を維持する限り（すなわち直線状であること）、また中心に適切にバランスを取れる限り（後述）、その他の質量を有する錘も選択できる。この中心錘は、テンプレートの端部であれば、どんな方法であっても適したものであれば、例えばテンプレートのホールから吊り下げられるとかで取り付けることができる。
【００４２】
ワイヤに中心錘３４０が取り付けられる前またはその後、ひっくり返されたテンプレートが図１５に示すように開口部３２５を通して置かれる。代表的な例ではこの中心錘はひっくり返されたテンプレートが開口部３２５を通して置かれたあと、このテンプレートに取り付けられる。図１５に見られるように、ワイヤ４０は円板の周面に均一に配されている。図１６に示すように、本発明の代表的な例では１−１２の番号を付された１２の端部を有した６本のワイヤ（それぞれ２つずつ端部を有す）が円板３２０の周面に実質的に対称的に配置されている。錘３４０と３６０は、一般的に張力を維持し、バランスを取るためにつけられるものである。次に、編み方について述べる。
【００４３】
図１７に示されるように、編み込みは一本のワイヤ端部を隣接するワイヤ端部に交差させることから始める。この交差は時計回り、反時計回りどちらでもよい。交差は図１７に示す矢印に沿って行われる。交差（あるいは「１ターン」）が完全に行われた後、交差したワイヤ端を図１８に示すように位置させる。代表的な例では、一本のワイヤ端部をもう一方のワイヤ端部にひとつの方向に向け、交差しないようわずかに反対側にずらして交差させる。代表的な例では、このずれは例えば、約１５°である。つまり、ワイヤ端部１をワイヤ端部２に時計回り方向に向け交差させ、ワイヤ端部２を反時計回り方向に向けずらす。１ターン終わったあと、図１９に示すように同様の手順で交差を、今度は反対方向に始める。この工程は平編が完成するまで続ける。
【００４４】
ワイヤメッシュの目の細かさ（図１Ａで示したワイヤ間の角ａ）は、中心錘で調節できる。錘を重くすればゆるい編み込み（ワイヤ間の角ａの減少）ができ、その逆も可である。
【００４５】
ステントの他の脚部も同様にして編みこめる。
【００４６】
本発明による脚部３０の平編工程の代表的な例では、既存の編込み機械もワイヤ４０でステント１０の脚部３０を形成する平編みに利用できる。他の例では、既存の編込み機械はまたワイヤで三又ステント（後述）の共通ボディを形成する平編みに利用できる。この編みこみ機械は、たとえば、ロードアイランド州セントラルフォール、ウォルドウェル・ブレイディング・マシン・カンパニーより入手可能である。既存の編み込み機械を利用した平編法は、本願の中に参考文献として組み込まれた米国特許第５，４１９，２３１号Ｅａｒｌ、ＩＩＩら（１９９５）図７で示されている。同様に、参考文献として組み込まれた米国特許第５，４１９，２３１号Ｏｓｂｏｒｎｅ（１９９６）図１でも示されている。
【００４７】
２本の脚部が編みあがった後、テンプレート３００が図２４、図２５Ａ−Ｃに示すよう共通ボディ用のテンプレート４００に取り付けられる。編みこみはその後同様に共通ボディ用のテンプレート回りで続けられる。違いは編みこまれるワイヤの数が二倍だということだけである。または、ステントの各脚部を形成するため使用される複数のワイヤ中のワイヤの数が違っていた場合、共通ボディを形成するため編まれる複数のワイヤ中のワイヤの数は双方の脚部を形成するため使用される複数のワイヤ中のワイヤの数を含む。図２３−２５Ｃに示すとおり、本発明の代表的な例では、テンプレート４００は一般的に円筒状の形状をしている。こういった例では、２つの脚部テンプレートが置かれている端部４０１に近いテンプレート４００の短い部分の形状は一般的に短い部分で楕円形状をしている。しかし、共通ボディは一貫して円筒状の形状のものを使うことができる。
【００４８】
共通ボディの編みこみが終了した後、図２６に示されたように隣接ワイヤ端４２（図１Ａ）を組み合わせて、後述する熱に耐えうる方法で、ワイヤをまっすぐな曲がっていない状態に戻さないような方法を利用し、閉鎖構造５５を形成する。１例では図２６に見られるように少なくとも２つのねじれを利用してワイヤ端を組み合わせる。１例では、６つのねじれが利用されている。利用されるねじれの数に関わらず、このねじれたワイヤ端はできるだけ短くしておくのが望ましい。短くして置けば置くほどねじれたワイヤ端が折れるのを防止できる。結果として、導入、位置決め、再位置決め、またはキャンセルの間、このねじれたワイヤ端が意図せずずれる可能性は低くなり、組織の損傷を減少できる。他の例では、ワイヤ端の周りの金属クリップを曲げるまたは折る、あるいはワイヤ端をステンレスワイヤなど何か適切な材質で縛る、溶接する、などの手段でワイヤ端同士を組み合わせている。
【００４９】
本発明では、テンプレート４００の他の構成も利用可能である。例えば、閉鎖構造５５が形成されるようワイヤ端が周囲でねじれるピンを配置することもできる。フィニッシュピン８００は図４３に示したようなリング８０２のようなリング上に着脱可能に、または永久取付けで配置することができる。リング８０２は、図４３に示したテンプレート４００を縫い付けるよう契合するように構成することができる。他の例では、リング８０２は、テンプレート４００を摩擦力（不図示）で契合し、あるいはクランプ（不図示）で確保するように構成することができる。フィニッシュピン８００もまた、ピン３０４がテンプレート３００に契合したような方法でテンプレート４００に契合することができる。図４４に示すように、テンプレート４００は、ホール３０２と同様のフィニッシュホール８０４を形成することができる。また、フィニッシュピン８００はこのフィニッシュホール８０４を貫通して位置することができる。リング８０２はホール３０２とピン３０４の代わりとして配置することができる。
【００５０】
フィニッシュピン８００がリング８０２を利用してテンプレート４００と契合する例では、フィニッシュピンの数は脚部２つを形成するに使用したワイヤ数と等しい。テンプレート４００は、さまざまなサイズの共通ボディを最もよい形で乗せるため、その長さ方向で縫込みができる。例えば、テンプレート４００の一部だけが図４３に示すよう縫いこむことができる。糸はテンプレート４００と摩擦力を利用して契合したリングを利用する必要はない。
【００５１】
リング８０２を利用することの利点は、リング８０２の位置を調節することで共通ボディの正確な長さが容易に得られることである。さらに、リング８０２を利用することでフィニッシュピン８００を編みこみでワイヤセグメントが互いに交差した長さ方向の線に、編み込みの対称性が保たれ、対称性から生じる構造上の利点が得られるよう対称に並べることができるということである。
【００５２】
フィニッシュピン８００がフィニッシュホール８０４を貫通して位置する例においては、フィニッシュピンの数は共通ボディ２０を形成するに使用したワイヤ数の半分である。というのは、フィニッシュピンの両端が利用されているからである。テンプレート４００はさまざまなサイズのステントを最もよい形で乗せるため、フィニッシュホール８０４をその長さ方向で形成できる。例えば、テンプレート４００の一部だけが図４４に示すようフィニッシュホール８０４をその長さ方向で形成ことができる。リング８０２については、フィニッシュホール８０４を利用することでユーザは共通ボディ２０の与えられた長さを容易に得ることができる。
【００５３】
フィニッシュピンを使い、ワイヤのワイヤ端を共通ボディテンプレート回りに編んだ後、ワイヤ端をフィニッシュピン回りにねじる、曲げる、巻く、などの何らかの適切な方法を利用して確保し、閉鎖構造を形成する。１例で、ワイヤ端は交差した後フィニッシュピン回りで曲げられ、その後薄い壁部を有する金属チューブの短片とともに確保される。このような接合ははんだ、溶接などの方法で補強できる。閉鎖構造を形成する際、ワイヤ端をフィニッシュピン回りで確保した後、適切な数のねじりを追加することができる。ワイヤの確保（図１２に示した確保用ワイヤ３０６参照）は、アニール中に閉鎖構造を共通ボディテンプレートに確保するため利用される。
【００５４】
ワイヤ端をフィニッシュピン回りで確保した結果、交差したワイヤ端間に形成された角は、他の交差したワイヤ端間に形成された角と同一ではないが、ほぼ同様である。利点としては、フィニッシュピンを利用すれば、交差したワイヤ端間に形成された角が維持され、編みこまれたステントの編みが緩むのを防止できる。緩みが生じた場合、ステントの緩みが生じた部分の拡張力または放射力がこれを減じることができ、そのステントの部分がそれが位置していた部分にとどまらせるようにすることができる。故に、フィニッシュピンを利用することによって、また、フィニッシュピンに巻きつけられ、あるいはねじられ、交差したワイヤ端間に形成された角の維持と、またステントの脚部と共通ボディの長さに沿って編まれた網の目の細かさを関連付けることによって、ステントが維持され、緩みに対して抵抗力を持つことができる。更に、閉鎖構造を有するステントの端部（ステント末端部）の拡張力はステントの他の部分の拡張力に匹敵する。
【００５５】
ステント１０の脚部３０を、そして究極的にはステント１０を形成する他の方法が図３１−４２で図示されている。図３１に見られるよう、テンプレート３００は、横の切り込み一つと接続した２つの縦長の切り込みにより形成された縦長のタブ７００を備えている。これら切り込みの長さは、選択されたテンプレートの長さに基づいて決められる。例えば、直径訳１０ｍｍのテンプレートは約４−５ｍｍ長さの縦長切込みを有し、接続される横切り込みは２ｍｍ長さである。図３１に描かれたように、タブ７００はわずかにテンプレート３００の表面から浮いており、テンプレート３００の周囲に対称的に位置している。
【００５６】
図３１及び３２ＡとＢも、ワイヤ４０がワイヤの端部の間に位置する選択点にてタブ７００の周囲で曲がり、ワイヤ４０に沿って曲げ部を形成することを例示している。曲げ部は図３２Ａに示される様な曲げの形状５０を取るか、又はタブ７００の周囲をさらに巻き図３２Ｂに示される様なループを形成してもよい。曲げ５０又はループ４５の角度ｂは９０°未満であろう。本ステントの脚部のより典型的実施態様では、、角度ｂは９０°に等しいかまたはそれ以上であり、１８０°に接近するがそれを含まないだろう。曲げ部は脚部の末端部を画定する様に配置されるだろう。その先のワイヤの端は、例えば機械編み法を使用し編まれ、脚部を生成するだろう。
【００５７】
図３３に示される様に、各ワイヤ４０の端４２は１対のボビン７０２の周囲に配置されてもよい。各ボビンの周囲で曲がるワイヤの長さは、以下詳細に述べるが、脚部を形成するのに必要なワイヤの全長及び製織プレート（図３４に示されている）周囲にボビンを配置するのに必要なワイヤ長を考慮し決定されるだろう。
【００５８】
図３４に示される如く、ボビン７０２が利用される実施態様では、２枚の同軸配置された製織プレートが利用されるだろう。図３５に示される様に、上部製織プレート７０４及び下部製織プレート７０６は、異なる水平面に配置されるだろう。図３５は、製織プレートに複数のボビンロッド７０８が備え付けられており、その軸が実質的に製織プレートに対し垂直であり、その上でロビン７０２が滑動可能に固定されていることを例示している。（図３５は単純化を目的として４個のロビンのみを描いている）。図３５に示される様に、製織プレートにはその中をテンプレート３００及び／又はワイヤ４０が通過できる穴が提供されるだろう。テンプレート３００は、テンプレートロッド７１０の様な好適手段を用いることで選択された製織機の基部に固定され、その周囲をテンプレート３００は滑動可能に置かれるだろう（図３５）。テンプレートロッド７１０は摩擦力（例えばテンプレートロッド７１０を先細にすることにより）によってテンプレート３００と強固に咬み合う様に形成されるだろう。テンプレートロッド７１０に代わり、いずれかの適当な固定装置を使い製織機の基部をテンプレート３００に固定してもよい。
【００５９】
図３６Ａ及び３７Ａに示される様に、編むために一対のロビン７０２を用意され、一方のロビンは上部製織プレート７０４に、そして相手方のもう一つのロビンを下部製織プレート７０６に配置されるだろう。次にワイヤ４０はタブ７００の周囲で曲がり、編み工程より生ずる引っ張りでワイヤ４０を固定することができる好適手段を利用してワイヤの端はロビン７０２に接続されるだろう。この様なメカニズムの例は、ワイヤー４０がロビンを巻き戻す様な一方向にだけロビン７０２を回転させる一方向プレーキである。同時にこの様なブレーキは、ワイヤ４０の巻き戻しに対するブレーキの抵抗の利点を活かし、ワイヤ４０の引っ張りを継続的に維持する様に成形されるだろう。
【００６０】
図３６Ａに示される様に、所定位置にあるワイヤの端を使い、同一ワイヤの端を交差ささせることで編みが始まり、曲げ部の位置に小カリバループ４５（図３６Ｂ）が形成される。図３７Ａに例示される編みの別様式では、異なるワイヤの端を最初に交差させ、曲げ部位置にベント５０が生じる。
【００６１】
図３８−３９に示される様に、２枚の製織プレートは、ロビンロッドが延出するプレート表面が互いに向き合う様に配置されるだろう。この別実施態様では、プレートの直径は同一でも、又は別でも良いだろう。ワイヤ４０は、図３９に示す如く、上記と同一の様式にて配置されるだろう。
【００６２】
上記製織プレート配置が利用される場合でも、製織プレートは編み工程中は反対方向に回転する。製織プレートは好適速度で運転されるだろう。この点に関し、１分当たり１ないし１０回転のスピードが許容される。製織プレートは手によって駆動されても良いだろう。
【００６３】
製織プレートはいずれかの好適手段を用い支持され、そして回転されるだろう。図４５は製織プレート７０４及び７０６を支持し回転させる１手段を例示している（図４５は単純化するためにロビンを４つだけ描いている）。例示の如く、製織プレート支持体７５０は、上部及び下部製織プレート７０６及び７０４それぞれ支えるための下部アーム７５２と上部アーム７５４を装備している。製織機駆動装置７６０は製織プレート支持体の上部及び下部アームに固定され、それらを駆動させるために製織プレートと咬合するだろう。駆動装置は好適様式で運転する様成型されるだろう。例えば、駆動装置は動力源を装備し、製織プレートを回転させるのに好適な形状のギアを提供されるだろう。駆動装置は磁気又は電磁気を利用して製織プレートを回転させる様にも形成できるだろう。駆動装置は更に製織プレートが手で回転できるようにも形成できるだろう。更に、示していないが当業者は本開示の利点により上部及び下部アームいずれか、または両方を駆動装置が接続されるブランチと共に提供できることを理解するだろう。次に、図４５に示す様に駆動装置７６０が製織プレートの底面に咬み合わされるのと同一の様式にてブランチ上の駆動装置が製織プレートの上部表面に固定されるか、咬み合わされる。即ち、この様な実施態様では各製織プレートの上面及び底面の両方が駆動装置に咬み合わされるだろう。
【００６４】
脚部が編まれた後、一方の脚部を編むのに使用された製織機の一つを利用し、継続してステントの共通部分が編まれるだろう。その為にはまず、ロビン及び対応するワイヤが「脚部」装置の一つの製織プレートの半周に再配置されるだろう。も一方の編まれた脚部を持つテンプレートは第一脚部のテンプレートの後ろに配置され、固定されるだろう。一方が使用される場合には、次にステントの共通体について形成されたテンプレートが両方の脚部テンプレート上に置かれるか、またはその様な配置が利用されている場合には一方のテンプレート脚部が共通部分の開口部に挿入されるだろう。次に第２脚部のロビンと対応するワイヤは、第一脚部のロビンとワイヤがない製織プレートの別の半周に配置される。続いて反対方向に製織プレートを回転することで、共通部分での編みが継続される。
【００６５】
二又ステントも本開示による２テンプレートのみを使用することで作製できるだろう。図４６に示す如く、テンプレート３００は、その基部に隣接してテンプレート周囲に配置された、タブ７００の形状を持つテンプレート突起を持つことが分かる。テンプレート３００の遠位端は、テンプレート４５０の開口部４２５内に挿入されることから、視界から隠される様に描かれている。タブ型のテンプレート突起７００もまたその基部に隣接するテンプレート４５０の周囲に配置される。テンプレート３００及び４５０が共に利用される場合、脚部は上記同様の様式でテンプレート３００の周囲に編まれるだろう。更に別の脚部のワイヤやはテンプレート４５０の基部端周囲に配置されたタブの周囲で曲げられ、そしてそれらワイヤの端は開口部４２５の基部に位置するテンプレート４５０の一部である部分４５３の周囲で編まれるだろう。２本脚部から出るワイヤは一つにまとめられ、部分４５７の周囲で編まれ共通部分及びステントを作る。図４６に示される様に、部分４５７は開口部４２５の遠位に位置するテンプレート４５０の一部である。
【００６６】
上記の編み工程（即ち、製織プレートを利用する）実施に好適な編み機は、例えばローアイランド州セントラルフォール（Ｃｅｔｎｒａｌ  Ｆａｌｌ）にあるワードウエルブレーディングマシーン（Ｗａｒｄｗｅｌｌ  Ｂｒａｄｉｎｇ  Ｍａｃｈｉｎｅ  Ｃｏｍｐａｎｙ）社より得ることができる。
【００６７】
編み工程が終了した後、ワイヤの端は上記の如くに相互に捩られ、又は結合されて閉鎖端を形成する。より迅速且つ用意にワイヤを縒る工程を作製するために、ワイヤをこの目的に合わせ設計された特別な手工具を使い縒り合わしてもよい。図４１Ａに例示された工具７１２はシャープペンシルの原理を使っている。工具７１２の顎部７１４はワイヤの端が顎部７１４の間にしっかり固定される様に成形されている。顎部７１４はスプリング７１８に抗して動く押しボタン７１６により作動する。ワイヤ端を顎部７１４の間に位置する前成形されたギャップ７２０（図４１Ｂ）内に置くと、スプリング７１８は広がり（又は非拘束状態に戻る）顎部７１４を後退させ、顎部７１４を閉じる様に作用する外ハウジング７２２の圧により、ワイヤは顎部の間にしっかり固定される。次に外ハウジング７２２は回転し、ワイヤ端を複数回縒る。図４２Ａ及び４２Ｂに例示の如く、共通部分２０の縒り端は縦方向タブと同一方法にて形成される横断タブ７２４によりテンプレートに固定されるだろう。
【００６８】
次に、二又ステントは約５００℃に５ないし１５分間、好ましくは約１２ないし１５分間加熱され、続いて室温まで冷却される。実施態様の一つでは、二又素ｔんとは５００℃に１５分間加熱されるだろう。結果として、ステントのワイヤは超弾性を示すだろう。超弾性を付与されたステントの初期形状は、それに力を加わえることで変形するだろう。次に力を除くとステントの形状記憶が働き、ステントは実質的に初期形状に復帰するだろう。ここで用いる「実質的復帰」とは、復帰が正確に元の形状を再現する必要がないことを意味する。むしろ、それはある程度の可塑的変形が起こっていることを意味する。換言すれば、復帰は完全である必要はない。別の実施態様では、ステントはオーブン内、約５００℃で約６０ないし１２０分間、典型的には約１２０℃に加熱することで、熱形状記憶が付与される。実施態様の一つでは、二又ステントは５００℃で１２０分間加熱されるだろう。熱形状記憶を付与されたステントの初期形状は第一温度で力を加えることで変形されるだろう。力を除いても、ステントは変形を維持する。次にステントの形状記憶は、ステントが実施的に初期形状を回復する温度である第２温度にステントを加熱することで活性化される。
【００６９】
わずかに先細になった脚部の創造及び共通部分と脚部の間の角度を調製することを含むステントの初期形状を作製するために、ステントを別テンプレート上にて改再形成し、再加熱されるだろう。改造テンプレートへの取り付けは、ワイヤ、例えば外装銅ワイヤが最初にテンプレートに取り付けられた時との方法と同様の様式にて達成されるだろう。再加熱は、初回加熱と同様の時間及び温度を採用し、実施されるだろう。ステント１０の固定をより良くするために、ステント冠部２８は再形成及び再加熱に併せてフレア処理される。室温に冷却後、ステントワイヤは超弾性を示すだろう。ステントを複数回再形成するが、ステントに熱形状記憶をさせる意図がない場合には、約６０分でステントに熱形状記憶が付与されるため、合計加熱時間が約６０分を超えない様注意すべきである。
【００７０】
ステント１０の例示実施態様では加熱及び冷却後、更に閉鎖構造体５５の結合ワイヤ端４２（特にそれらが縒って結合されている場合）を点溶接等の適当な方法で強化し、結合されたワイヤ端が運搬中に解離しない様（以下詳細論ずる）しっかり固定することが好ましい。結合ワイヤ端４２は使用したワイヤの関係部分上に形成される酸化層を除き、ハンダをその部分に適用することでハンダ付けされるだろう。ハンダ付けは、まず結合ワイヤ端４２を薄いステンレス鋼製ワイヤに包むことで強化されるだろう。ハンダ付けに比べ点溶接は容易であり、そしてステントの長期移植に関しても好適でることから、例示実施態様に於いてはハンダ付けよりも点溶接が好ましい。
【００７１】
生物分解バージョン
本発明の二又ステント（及び以下論ずる三又ステント）は、ステントとして機能するだけでなく、使用する材料の結果として薬物又は栄養供給システムとしても機能する自己展開型の生物吸収性、生物分解性ステントを形成することを目的に、生物分解性材料より作られたフィラメントを使い形成されるだろう。
【００７２】
本発明の生物分解性二又ステントを形成する材料を選択する場合には、多くの要因が考慮されるだろう。実施態様の一つでは、本発明の生物分解性ステントは血流漏洩を最小にし且つ生物吸収を促進するために、最小の厚みを持った材料から形成されるだろう。別の実施態様では、ステントとして機能できる本体が形成できる様、十分な半径方向強度を示す材料が選ばれるだろう。生物分解製ステントが形成される材料は、同時に血栓を形成しない為に数週間又は数ヶ月の間に血流内で分解されるだろう。しかし、動脈硬化症起源の血管狭窄を治療する場合には、ステントが使用された血管又は構造体中に内皮細胞層が形成される前には分解しないも材料が選ばれる。選択された材料は、血管内の周囲組織及び血液に対し適合するものが選ばれるだろう。
【００７３】
二又生物分解性ステントは、上記方法を利用した平編みにより形成されるだろう。使用するフィラメントのサイズは、利用のしかたにより様々であろう。幾つかの実施態様では、フィラメントは非生物分解性ステントを含む同等応用で使用されれるワイヤのサイズに比べ小さいだろう。別の実施態様では、使用されるフィラメントの数は非生物分解性ステントを含む同等応用で使用されるワイヤの数に比べて多いだろう。
【００７４】
二又ステントの脚部作製に使用されるフィラメントの最少数は約５であろう。実施態様の一つでは、１２本のフィラメントが使用される。三又ステント（以下論ずる）の脚部作製に使用されるフィラメントの数は約５であろう。実施態様の一つでは、８本のフィラメントが使用される。それに脚部が加えられる前の、三又ステントの共通部分の作製に使用されるフィラメントの最少数は約１０である。実施態様の一つでは、８本のフィラメントが使用される。平編みを使ったステントの作製では、交差するフィラメントの角度（上記角度ａ）は上記同様に様々であるが、典型的には１５０−１６０°である。実施態様の一つでは、交差フィラメントの角度は最大の半径方向力を達成し、更にステントが供給された後に所定位置に留まるのに十分な拡張力を確保するために、可能な限り大きいだろう。フィラメント端は、平編みが終了した後、熱処理又は熱封入、接着、結束、縒り合わせ、挟み込み、テーピング等の様な好適手段を使い一つに結合して、閉鎖構造体を作る。
【００７５】
実施態様の一つでは、フィラメントはポリグリコール酸（「ＰＧＡ」）、ポリ−Ｌ−乳酸（「Ｌ−ＰＬＡ」）、ポリオルトエステル、ポリ無水物、ポリイミノ炭素塩、又は無機リン酸塩より作られるだろう。これらポリマーは、例えばコネチカット州、ンールウォーク、米国サージカル（Ｓｕｒｇｉｃａｌ）社；アラバマ州、バーミンガム、バーミンガムポリマー（Ｂｉｒｍｉｎｇｈａｍ  Ｐｏｌｙｍｅｒｓ）；及びニュージャージー州、サマービル、エチコン（Ｅｔｈｉｃｏｎ）社より市販されている。フィラメントを作製する材料を選択する上で考慮すべき要素の一つは、ステントの最終設置場所である。例えば、ステントを主に薬物供給システムとして利用する実施態様では、分解時間が早いことからＰＬＡが使用されるだろう。ステントが主に血管の貫通性維持（即ち、血管解法を保つ）、及び新規内皮細胞層の発達のための足場又は枠組みとして機能するる実施態様では、その強度及び剛性を考慮しＰＧＡが使用されるだろう。別の実施態様では剛性を下げるためにグリコリドが他のモノマーと共重合され、得られた繊維が利用されるだろう。
【００７６】
別の実施態様では、これらフィラメントの内の幾つかには、生物分解性ステントのインビボ強度保持を約１０ないし２０％またはそれ以上増加させるために、参照されここに明瞭に取り込まれているＭｕｔｈら（１９９５）の米国特許第５，４７８，３３５号記載の如く、約０．０５ないし０．２５重量％の酸化カルシウム、水酸化カルシウム、炭酸カルシウム、リン酸カルシウム、酸化マグネシウム、水酸化マグネシウム、炭酸マグネシウム、リン酸マグネシウム、リン酸ナトリウム、硫酸カリウム等の基本金属化合物が提供されるだろう。ここで使用する「インビボ強度保持」とは、生物体内に移植され、又は持ち込まれた後にその強度を保持する生物分解性本体の能力を意味する。さらに別の実施態様では、ここに参照され明らかに取り込まれているＫｅｎｎｅｄｙら（１９９５）の米国特許第５，４２５，９８４号に記載の様な、溶融紡糸操作により約１５ないし３０モル％のグリコリドを含むポリマーより得られるフィラメントは、生物分解性本体形成に利用するだろう。
【００７７】
生物分解ステントは、ステントが供与される局所での治療に良い影響を与える１又はそれ以上の薬物を取り込むだろう。実施態様の一つでは、これら薬物はパクリタセル（Ｐａｃｌｉｔａｘｅｌ）（ニュージャージー州、プリンストン（Ｐｃｉｎｃｅｔｏｎ）にあるブリストル−マイヤーズスクイブ（Ｂｒｉｓｔｏｌ−Ｍｙｅｒｓ  Ｓｑｕｉｂｂ）社よりＴＡＸＯＬとして市販されている）又はドセタキセル（ペンシルバニア州、カレッジビル（Ｃｏｌｌｅｇｅｖｉｌｅ）のローヌプーランローラ（Ｒｈｏｎｅ−Ｐｏｕｌｅｎｃ  Ｒｏｒｅｒ）社よりＴＡＸＯＴＥＲＥとして市販されている）の様な抗ガン剤、繊維芽細胞／平滑筋細胞増殖阻止剤及びペンシルバニア州、フィラデルフィアにあるワイエス−エアズ（Ｗｙｅｔｈ−Ａｙｅｒｓ）社より市販されているヘパリンの様な抗血栓薬を含むだろう。
【００７８】
１又はそれ以上の薬物が好適手段を使用し、ポリマー内に取り込まれるだろう。例えば、実施態様の一つでは、液状の薬物が生物分解性ポリマー内に溶媒として溶解され、溶液を形成する。次にこの溶液は硬化され、それからステントが編まれる繊維になる。別の実施態様では、ポリマー溶液に単純に混合するか、または溶解して利用される。薬剤はまた押出し、又は溶融紡糸工程中に生物分解性ポリマー内に分散されるだろう。さらに別の実施態様では、既に形成された生物分解性繊維を薬物でコーティングしてもよいだろう。
【００７９】
生物分解性フィラメントには、Ｘ線透視装置によるそれらのモニタリングを容易ならしめ、且つ／又はＸ線撮影、Ｘ線透視装置、又はコンピューター断層撮影を利用したそれらの追跡を容易ならしめるために放射線不透過性が付与されるだろう。ポリマー内への薬物の取り込みに関する上記方法を用い、タンタルの様な放射線不透過性塩をポリマーと混合する。
【００８０】
ここで用いる「分解時間」とは、生物分解性ステントがその機械的完全性を維持する間の時間を意味する。その分解時間に注目し、ポリマーを選択する場合に考慮すべき要素の一つは、ポリマーが体内に完全に吸収される前にその機械的完全性が失われることでる。例えば、ポリグリコリド（ＰＧＡ）縫合糸は２週間でその強度の約５０％が失われ、４週目では１００％失われ、４−６ヶ月で完全に吸収される。血管への応用では（即ち、ステントを体内の血管中に置く場合）、約１ないし２４ヶ月の分解時間を有するポリマーが、その使用目的に応じて使用されるだろう。典型例では、約１ないし３ヶ月の分解時間を持つポリマーが利用される。食道、腸、胆管、尿管等の血管以外への応用に関するポリマーの選択では、その環境に於ける化学的刺激に対するポリマーの耐性能力を考慮しなければならない。
【００８１】
生物分解性ステントの分解時間中に、新規内皮細胞層がステント表面上に形成されるだろう。ポリマー内に取り込まれている薬物の放出速度は、使用する生物分解性才良の分解速度により調節されるだろう。即ち、薬物の放出速度は、分解速度に関する制御量として作用するだろう。同時に、ヒト血漿由来ファイブロネクチン（ミズリー州、セントルイス（Ｓｔ．Ｌｏｕｉｓ）にあるシグマ（Ｓｉｇｍａ）社より販売されている）を使用するポリマーに加え（選択したポリマー内に薬物を取り込ませることに関するいずれかの上記好適手段を用い）、生物分解速度を変えてもよいだろう。例えば、ファイブロネクチンはステント周囲の細胞の増殖を加速し、これによりステント周囲の吸収反応を促進する。
【００８２】
本発明による生物分解性ステントの実施態様の一つでは、平編みを使用した脚部又は共通部分を形成した後、強化を目的として１またはそれ以上の形状記憶ワイヤが二又又は三又ステントの脚部又は共通部分に加えられるだろう。この様なワイヤは二チノール又は上記のその他同等材料を含むだろう。実施態様の一つでは、ワイヤは約５５ないし５６％のニッケルと４５ないし４４％のチタン（形状記憶応用）を有するニチノールから形成されるだろう。ワイヤ又は複数ワイヤは、ワイヤを脚部にある開口部の内外を数回往復させることで生物分解性編み込み構造内に取り込まれるだろう。実施態様の一つでは、ワイヤを脚部の開口部の内外を往復させる方法が図２８に示されている。図２８では、記号５２０は生物分解性脚部５０の外を通る強化ワイヤ５１０を、記号５３０は生物分解性脚物５００の内部を通る強化ワイヤ５１０を示しており、即ちワイヤ５１０がどの様に脚部５００の開口部の内外を通るかを示している。図２８に示される様に、強化ワイヤ５１０は２本の生物分解性フィラメント５４０の間に導かれ（即ち平行に）、それらの螺旋コースを追従する。図２８に示される様に、強化ワイヤ５１０はループ５５０、又は結び、縒り等のその他好適手段により脚部５００に固定される。ループ５５０はフィラメントの周囲、又は１またはそれ以上のフィラメントの交点周囲に配置される。結果として、ワイヤは編みと協調して動くことができ、編みの中のフィラメントの動きを妨害しない。強化ワイヤ５１０の形状記憶を活性化することで、脚部５００の端５６０及び５７０は一緒に牽引され、その結果編みはより強固になる結果として、ステントの拡張力、及び外から圧迫に対する耐性は顕著に増加する。実施態様の一つでは、ループ５５０は供給システムへの脚部５００の固定にも利用される。
【００８３】
図２９に示す別の実施態様では、強化ワイヤは本発明による生物分解性脚部内の開口部の内外を通されるが、強化ワイヤ５１０はその端の間に位置する選択点、典型的にはワイヤのほぼ中点にて曲げられ、そして小ループ５１２が作られる（上記小閉鎖ループと同様に）。図２９に示す如く、小ループ５１２はフィラメントの周囲または１又はそれ以上のフィラメントの交点の周囲に絡ませられ、そして強化ワイヤ５１０は上記同様脚部５００の開口部の内外にとされ、ループ５５０又は上記同様その他好適手段により脚部５００に固定される。強化ワイヤ５１０の部分５１４は共に脚部５００の両側に沿って対称的に導かれ、生物分解性フィラメントの波形／螺コースを追従する。前記の如く、強化ワイヤ５１０の形状記憶を活性化することで、脚部５００の端５６０及び５７０は同時に牽引され、結果として編みは強固になる。その結果、ステントの拡張力および外からの圧迫に対するその耐性は明瞭に増加する。実施態様の一つでは、ループ５５０は供給システムへの脚部５００の固定にも利用される。
【００８４】
実施態様の一つでは、強化ワイヤ５１０のサイズは約０．００５インチないし約０．１２インチの領域である。強化ワイヤ５１０のサイズを大きくすると、ワイヤの形状記憶が活性された時に端５６０及び５７０を同時に牽引する力が大きくなることが分かる。１本より多い数のワイヤを使用すると、ワイヤのサイズを大きくした場合と同じ効果が得られることが分かる。
【００８５】
実施態様の１つでは、強化ワイヤ５１０は上記同様、テンプレートの周囲に形成される。次に強化ワイヤにここに記した様な超弾性、または熱形状記憶が付与される。
【００８６】
ベンチ作業
本発明によるステントの生物分解性型に関し、発明者らは初期ベンチ作業に関し、開放端型平編みナイロン脚部（即ち、編んだ後にフィラメント端を一つにして閉鎖構造を形成しないもの）を使用した。脚部は０．００７インチのナイロンフィラメントで編んだ。使用したフィラメントの数は１６であり、脚部の自由直径は１１ｍｍであった。非拘束状態では、編み穴のサイズは約１ｍｍであった。脚部の拡張力は比較的良好であり、最大延長後で脚部は容易にその自由直径に復帰した。脚部をその２端より長軸方向に圧迫すると、拡張力は明瞭に増加できた。長軸方向に最大圧迫した時、脚部の直径は１３ｍｍであった。脚部の両端を固定すると、それは事実上圧迫不能であった。
【００８７】
０．００６「ニチノールワイヤは前記様式により非制約メッシュの穴に通される。ワイヤは直線型のニチノールワイヤであり、テンプレート上に形成されず、また熱形状記憶又は超弾性も付与されない。直線ワイヤは脚部を延長し、脚部のその他特性を変えずに脚部の自由直径を９．５ｍｍ（１３％のルーメン損失）まで減少させた。編まれた管状脚部は完全に延長でき、また最大に圧縮できた。
【００８８】
[ステントの可能性ある応用］
本発明は、分岐した体の構造が存在する複数の血管内領域あるいは非血管内領域でステント１０を用いることを可能にする。血管に適用可能な範囲は、大動脈腸骨二又、上部静脈腔（ＳＶＣ）接合、下部静脈腔（ＩＶＣ）接合を含む。延長された大動脈第二腸骨（ａｏｒｔｏ−ｂｉ−ｉｌｉａｃ）閉塞症（Ｌｅｒｉｃｈｅ症候群）を再び疎通（ｒｅｃａｎａｌｉｚｉｎｇ）した後、ステントは内腔を維持するのに理想的でありうる。腹腔大静脈動磨の治療のために、ステントは、ある種の弾性体の保護物質を用い、ステント移植片となるようにしておおわれうる。ステントはまた、気管気管支閉塞症の治療においても、理想的な解決策である。二又ステントはまた、肺門胆汁（ｈｉｌａｒ  ｂｉｌｉａｒｙ）狭窄症においても用いられる。悪性の狭窄症を広げる（ｓｔｅｎｔｉｎｇ）ために、ステントは特別の保護物質（たとえば、ポリウレタンまたはシリコンでできたもの）、または抗ガン性コーティング、あるいはそれらの両方に設置されうる。その他の可能な適用には、静脈狭窄症を拡大した後の移植片または親血管の内腔を維持するために、血液透析通路移植片（ｈｅｍｏｄｉａｌｙｓｉｓ  ａｃｓｅｓｓ  ｇｒａｆｔ）の静脈側を広げることがありうる。
【００８９】
本発明によるステントは、交差する複数のワイヤ間の角度を変えることが可能であり（例えば、より隙間のない織りを作製することもでき、先細りの形状を作製することもできる）、その結果、拡大する強度を調整することができる。交差する複数のワイヤ間の角度は、事実上の最大値である１８０度に近い値になるように選択することができる。また、ステントの拡大する力は、実際に圧縮可能なステントが作製できる限度にまで増加することができる。本発明の実施例における検討によれば、インビトロの研究では、ＷＡＬＬＳＴＥＮＴ（Ｓｃｈｎｅｉｄｅｒ,Ｍｉｎｎｅａｐｏｌｉｓ,ＭＮ；Ｂｏｓｔｏｎ  Ｓｃｉｅｎｔｉｆｉｃ  Ｖａｓｃｕｌａｒ）と比べて、同じきつさのメッシュを有する同じサイズのニチノールのステントは、外部からの圧縮に対しより大きな抵抗力を発揮することを示す（以下の表２と表３を参照のこと）。この特徴は、腔が腫瘍（例えば、ＳＶＣ症候群）に占領されることにより生ずる血管の狭窄症または閉塞症においても利用することができる。これらの症状では、外部の大きな圧縮力が存在する。
【００９０】
本体２０と脚部３０とのあいだの角度は、患者の体の構造に適応するように調節しうる。ステントは柔軟性があるため、二つの脚部３０間の角度は、与えられた体の構造の平均的なサイズによって選択されるが、この角度は症例の大部分において使用されうる。気管気管支に適用するときの角度は、約４５〜７０度でありうる。ヒトにおいては、気管の二又は、典型的には約６５度の角度を有する。同様に、本体２０もまた、必要に応じて円形から楕円形に変形することができる（例えば気管気管支に適用するとき）。ステントをよりうまく固定するために、共通のボディ２０の冠部２８は、ラッパ状に広げることができる。ステントの脚部３０の長さだけでなく、共通ボディ２０の長さは、体の固有の必要に応じて変えることができる。
【００９１】
ステントは、次に、引き伸ばしてその直径を可能な限り減らすことができる。次に、ステントを引き伸ばした状態に固定することができる本発明の送達システムを用いて、ステントは、拡大されるべき二又環状構造に差し込まれる。
【００９２】
［送達システムとステントデポリメント（ｄｅｐｏｌｙｍｅｎｔ）
本発明は、また、ステントの送達システムをも含むものであり、このシステムは、ステントの適用によって変わる。二つの基本的な種類の送達システムは、気管気管支型と大動脈腸骨型である。
【００９３】
［Ａ．気管気管支への適用］
［ａ．具体例１］
図３は、本発明による送達システム１００の前面部の実施態様を例示する図表である。このシステムは、二つの小さなキャリバーチューブと、各々が漏斗形状の被覆（またはＹ形状の）部分１２０（１１０と同じ材料で構成されている）に差し込まれた脚部１１０（テフロン、ＰＶＣ、ナイロン、またはその他の適切な素材で構成されている）とを含む。一つの腔チューブ１４０はまた、この漏斗形状あるいはＹ形状の部分１２０の共通冠部に差し込まれている。チューブ１４０は、薄い壁面の、柔軟性のある、金属チューブにより作製される。一つの実施例において、チューブ１４０は、ニチノール（Ｓｈａｐｅ  Ｍｅｍｏｒｙ  Ａｐｐｌｉｃａｔｉｏｎｓで市販されている）でありうる。二つの小さなキャリバーチューブのそれぞれの末梢部１１５は、チップに近い部位に位置した二つの穴を備える。二つの固定ワイヤ１３０は、例示する実施形態ではそれぞれの脚部１１０のうちのの一つが、約０．００９インチ〜０．０１３インチの太さのニチオールのワイヤであり、二つの固定ワイヤ１３０は、ステントの二つの脚部３０の末梢端を固定するのに用いられる。固定ワイヤ１３０を構成するその他の素材は、あらゆる超弾性（ｓｕｐｅｒｅｌａｓｔｉｃ）、擬似弾性（ｐｓｅｕｄｏｅｌａｓｔｉｃ）の素材を含む。一つの実施例において、固定ワイヤ１３０（および、本発明のＡ．およびＢ．に記載する他の全てのワイヤ）は、ニチノールワイヤであり、約５５〜５６％のニッケルと、約４５〜４４％のチタンを含有する（Ｓｈａｐｅ  Ｍｅｍｏｒｙ  Ａｐｐｌｉｃａｔｉｏｎｓで市販されている）。本発明の固定用ワイヤの具体例は、ニチオールであり（ワイヤ１３０と以下に述べるその他のワイヤをも含む）、ニチオールワイヤは、ニチオールの超弾性の特性が利用できるように本発明に記載されているように熱処理し、または、製造者より購入することができる。図３に示すように、これらのニチオール固定ワイヤ１３０は、近接する穴をとおって内腔から出て、末梢の穴をとおって戻り、内腔１４０から二つの穴の間の小さな側面のタイトな環１３５を形成する。このニチオール固定ワイヤ１３０は、漏斗形状またはＹ形状部分１２０を通過した後に、単一の内腔チューブ１４０を貫通する。気管気管支システム内での操作を容易にするために、ニチオール固定ワイヤ１３０の１．５〜２．０ｃｍの長さの末梢端部には、やわらかいチップの小さな断片が取り付けられる。二又ステント１０は、末梢脚部が二つの穴のあいだのタイトなニチオールワイヤに固定されて、Ｙ形状のチューブ構築体上に設置される。つまり、ワイヤ１３０は、近接した穴を貫通して、閉じた構造（曲がったあるいは小さな閉じたループまたは織りの隙間）を通過し、近接した穴を通ってチューブの腔１１０に戻る。
【００９４】
本発明の例示した実施態様の送達システム１００は、複数の固定ワイヤが、送達システムのそれぞれの脚部のうちの一つに替わって用いられることがわかる。この実施態様においては、脚部１１０の末梢端部は、脚部の周囲を実質的に均一に囲むように配置された一連の穴の対を備える。
【００９５】
本発明の例示した実施態様の送達システム１００においては、トルクの調節が良く、好ましくはニチオール（Ｍｉｃｒｏｖｅｎａ  Ｃｏ．  Ｗｈｉｔｅ  Ｂｅａｒ  Ｌａｋｅ，  ＭＮで市販されている）でできた、一定の方向に向けることができる二つのガイドワイヤが、やわらかいチップの柔軟性のある断片の替わりに利用されることがわかる。これらの二つのガイドワイヤは、柔らかい放射線不透過性のチップ（白金、タングステン、その他適切な素材から作られる）を備え、チューブ１１０の腔およびチューブ１４０の単一の腔に設置される。さらなる実施態様においては、これらのチューブは、二つの経路を備える。一つの経路は、固定ワイヤのために形成され、他方はガイドワイヤのために形成される。その結果、操作の間、ガイドワイヤの動作は、固定ワイヤの安定した位置を妨害することがなく、その逆もまた同じことが言える。
【００９６】
チューブ１１０が合成されるすぐ後でチューブ１４０の周りのいくつかの自由なカバーされた空間を作成するために、より大きい口径であり薄い壁の外筒の短いセグメント１６０は、小さな口径チューブ１４０の最も近い端と同様に、チューブ１４０をカバーできる。もし、小さな口径チューブとチューブ１４０との間の接続が漏斗形部品１２０によって形成されると、１２０と１６０は、同じ部品により製作することができる（図３参照）。もし、Ｙ形の部品１２０が使用されるとき、セグメント１６０はＹ形部品１２０の一般的な幹線に取り付けられる。このような例において、１２０と１６０は同じ部品によって製作される。作成された空間は、送達システム１００の最も近い端に取り付けられた反対のタブを隠すのに使用してもよい。
【００９７】
同軸的に、（テフロンや、上記に述べた他の材料や、チューブ１４０より大きい２つのフランスサイズの他の）より大きいチューブ１７０は、チューブ１４０を覆って位置している。末梢端１７５の近傍には、チューブ１７０がいくつかの近傍を向くような金属フック１８０によって取り付けられている（図３）。これらの逆の金属フック１８０は、ステント１０の共通ボディ２０の最も近い端を固定するのに使用される。
【００９８】
低い断面のニチノール環と、（ステント端の近くの閉じた構造または他の開口部を介して糸を通した）逆フック１８０を使用するステント１０の脚部３０と共通ボディ２０との両方を固定したあと、図５のように、ステントはチューブに広がって最大に伸びるようにしてもよい。外側の薄い壁の外筒１９０は、ステントの最も近くにある端をのりこえて引っ張ることができる。結果としてステントの最も近くの端は、送達システム１００に取り付けられ、同時に、フックはカバーされる。送達システム１００の部品の最も近い端に取り付けられた離れたロック機構によって、ステント１０を配送中伸びた状態に保てるようになる。離れたロック機構はニチノールワイヤ１３０を固定するのに用いられ、ステント１０の早まったリリースを防いでいる。
【００９９】
図２に示すように、（Ｍｅｄｉｔｅｃｈ/Ｂｏｓｔｏｎ  Ｓｃｉｅｎｔｉｆｉｃ  Ｃｏｒｐ．，Ｗａｔｅｒｔｏｗｎ,ＭＡから発売されているＦＬＯＳＷＩＴＣＨ（登録商標）ＨＰ、または  Ｍｉｃｒｏｖｅｎａ  ｉｎ  Ｗｈｉｔｅ  Ｂｅａｒ  Ｌａｋｅ，ＭＮから発売されているＣＲＩＣＫＥＴＴ装置のような）プッシュボタンのロック／リリースのスイッチ機構９０は、必要時にチューブ１４０をチューブ１７０に固定する。プッシュボタンのロック／リリースのスイッチ機構９０はオープン状態またはロックされていない状態にあるとき、２つの管材料はロックされていなく、結果として、チューブ１７０はチューブ１４０の上を自由に移動する。この自由な移動によって、ステントが拘束を受けていない形と大きさを保つことができる。プッシュボタンのロック／リリースのスイッチ機構９０のスイッチ９１が、閉じた状態またはロックされた状態であるとき、２つの管材料はロックされ、２つのチューブはお互いに移動できなく、ステントは完全に伸びた状態に保つことが出来る。プッシュボタンのロック／リリースのスイッチ機構９０の付着を容易にするために、チューブ１７０は、ハブまたはフランジによって提供される。
【０１００】
図２に示すように、サイドアーム９３と共に使用されるエンドフィッティング９２はルアーロック機構を用いて、チューブ１４０に取り付けることができる。チューブ１４０とエンドフィッティング９２はハブとフランジ（図に示さず）でチューブ１４０を提供することによって容易になることができる。エンドフィッティング９２は２つの締めるスクリュー機構９４によって設けることができ、２つの操縦できるガイドワイヤ９５（ひとつしか示されていない）のためにひとつ、ニチノールワイヤ１３０（固定するワイヤは描かれているが、例では一つより多いと理解してよい）を固定するために他のひとつを使用する。これらの締めるスクリューはガイドワイヤとニチノールの固定するワイヤをステントの配送中の位置で固定するのに用いられる。ステントの展開中の同時にする動きを容易にするために、固定するためのニチノールワイヤの最も近くの端は、’ハンドル’部品９７とともに固定するニチノールワイヤの最も近い端がホールドされる。エンドフィッティング９２は、ダブルチャンネルシステムにおける離れたルーメンによって設けられる。ガイドワイヤは一つのルーメンに位置することができ、固定するワイヤはもうひとつのルーメンに位置することができる。
【０１０１】
以上に述べた固定するワイヤに関して、上述した送達システムに現在のステントを固定するように用いることができる。当業者はこの公開によって利益を有する。固定するワイヤはどんなチューブにおいても形成する開口部によって制御されうる。固定するワイヤは穴の中に位置する。（穴は重要なチューブの最も近い端の近傍に形成される）これらの穴を介して、固定するワイヤの最も近くにある端を糸通しする。このようにして、配送されたステントの関連した部分は、固定するワイヤの最も近い端を引くことによってリリースすることができる。この固定するワイヤは、関連するワイヤの外部に位置する。
【０１０２】
展開の第一段階では、送達システム１００は気管を介して挿入される。送達システム１００の脚部１１０の両方とも、脚部１１０の結合が気管の気管分枝部によって引っかかるように、主要な気管支において展開される。この位置で送達システム１００をホールドすると、共通ボディ２０の最も近い端がリリースされる。そのようにするために、外側の薄い壁の外筒は、フック１８０をさらすために引っ張られる。フック１８０がＹ部品に取り付けられたセグメント１６０によってカバーされるように、フック１８０とともにチューブ１７０はさらに末端に動くことができる。それぞれの脚部のワイヤ１３０がひとつひとつ元に引っ張られ、ステントの脚部３０はリリースされる。
【０１０３】
[例２]
図４に示されるような他の例において、送達システムの最も近くにある部分は逆フック機構は用いない。代わりに、ステントの最も近くにある端は、タイトなニチノール環とともに、上述したように、チューブ１１０にステント脚部の遠位端を固定するように用いられたように、チューブ１７０に固定される。チューブの周りのステントのねじれたワイヤの構成を達成するために、複数のテーパー状の（テーパー状のセグメントａを有する）ニチノールワイヤ１３０は、図４のように、チューブの実質的周囲に配置された多数の穴を介して糸通しされる。固定するワイヤを利用する全ての例示的な例では、固定するワイヤの端ははテーパー状にでき、チューブ１７０上の結合されたワイヤ端のこみいった配置を避けることが可能になる。
【０１０４】
一般的に、小さな断面のニチノール環の強さは使用されているワイヤのサイズに主に依存する。しかし、穴の大きさと形は、対応する穴の関係と同様に（つまり、それらが、チューブ材料や斜面の縦軸に対して平行に配置されるとき）固定する環の強さに影響を与え得る。
【０１０５】
以上に述べたような気道タイプ版の送達システムは、大髄静脈アプローチからのＳＶＣの２又状のステントの場所に用いられるか、または、栩静脈アプローチからＩＶＣ２又状のステントの場所に用いられる。
【０１０６】
大動脈腸骨アプリケーション
図６に示す通り、この代替具体例の送達システム２００は、異なる長さの２本のまっすぐなチューブ２１０および２２０（これらはテフロンまたは上述の他の材料であってもよく、また、好ましくはＤ形であってもよいが、丸形を使用してもよい）を含んでもよい。短い方のチューブ２１０は長い方のチューブ２２０に柔軟に接続されており（一部の用途では、接続はチューブ２２０のほぼ中点である）、それによって継ぎ目が生じている。接続箇所にて、長いチューブ２２０上に、短いチューブ２１０に面して、ノッチを刻むことが可能である。ノッチ２１５は、継ぎ目における短いチューブ２１０の運動を容易にすることができ、僅かに楕円形の断面を形成する側面を接した配置の２本のチューブによって、送達システムのサイズを最小限に抑えることが可能である。
【０１０７】
代表的な具体例において、２本のチューブ間の柔軟な接続は、図５に示す通り、ニチノール（Ｓｈａｐｅ  Ｍｅｍｏｒｙ  Ａｐｐｌｉｃａｔｉｏｎｓから入手可能）または偽弾性材料または超弾性材料で作製された０．０１１”〜０．０１５”のワイヤー等の、ワイヤー２３０を使用してもよい。ワイヤー２３０を、短いチューブ２１０上の近位先端付近に配置された２つの穴に通すことができる。ワイヤー２３０は、穴と穴の間に（上述のループに似た）目立たない、ぴったりしたループ２３５を形成することができ、上述の様式で、Ｙ形ステントの対側脚すなわち左脚３０の近位末端を固定するのに使用することができる。次いで、ワイヤー２３０を短いチューブの内に入れることができる。取り付け部位にて、このワイヤー２３０を、チューブ２２０の穴を通って長いチューブ２２０の管腔に連続的に誘導することができる。ワイヤー２３０は、このチューブのほぼ遠位末端まで誘導することができる。２本のチューブ間の接続を強化するために、長いチューブ２２０に沿った任意の適当な位置に、別の目立たない、ぴったりしたループ２３５をワイヤー２３０から形成することができる。この点に関して、目立たないループ２３５を、ノッチ２１５と遠位末端２２２の間のほぼ中ほどに示すが、このループは遠位末端２２２付近に位置してもよいことが理解されるであろう。
【０１０８】
ワイヤー２４０（ニチノール（Ｓｈａｐｅ  Ｍｅｍｏｒｙ  Ａｐｐｌｉｃａｔｉｏｎｓ）または上述の他の適当な材料で作製された）を使用して、長いチューブ２２０の遠位末端２２２付近に、（上述のものに似た）目立たない、ぴったりした固定用ループ２２５を作製することができる。このループを使用して、上述の様式で、Ｙ形ステント１０の共通ボディ２０（ステントクラウン）をチューブ２２０に固定することができる。同じ管腔内に、別のワイヤー２７０（ニチノール（Ｓｈａｐｅ  Ｍｅｍｏｒｙ  Ａｐｐｌｉｃａｔｉｏｎｓ）または上述の他の適当な材料で作製されていてもよい）を配置することが可能であり、これによって、長いチューブ２２０の近位末端付近に、別の目立たない、ぴったりしたループ２７５を形成することができる。このループを、ステントの同側脚すなわち右脚の固定に使用することができる。
【０１０９】
対側脚３０の配置を容易にするために、３．０〜４．０（メートル法で１．５〜２．０）であってもよく、たとえば、２−０、３−０、４−０  Ｐｒｏｌｅｎｅ（Ｅｔｈｉｃｏｎから市販されている）またはナイロンで作製されたモノフィラメント２５０を、Ｙ形ステントの対側脚の近位末端に取り付けることができる。このモノフィラメントを、ステントの対側脚を固定するワイヤー２３０の近位部分にしっかり接続することができる。
【０１１０】
実施に際して、両大腿動脈を穿刺し、適当なサイズの導入装置シースをそれぞれに挿入することが可能である。左大腿アプローチにより、第１にニチノールスネア、たとえばＡｍｐｌａｔｚ  Ｇｏｏｓｅｎｅｃｋスネア（Ｍｉｃｒｏｖｅｎａから市販されている）を右腸骨動脈に挿入して操作することが可能である。右大腿アプローチにより、第１のスネアに似た第２のスネア（たとえば、Ｍｉｃｒｏｖｅｎａから市販されているＡｍｐｌａｔｚ  Ｇｏｏｓｅｎｅｃｋ）を挿入し、それによって、第１のニチノールスネアを、右大腿シースを通過させることが可能である。ステント１０は依然として体外にあるが、第１のスネアにより、モノフィラメント２５０およびワイヤー２３０（両者とも、ステント１０の対側脚に取り付けられている）を、左大腿シースを通過させることが可能である。
【０１１１】
次いで、ステント１０の対側脚３０が上記大動脈腸骨二分岐の上になるように、右大腿シースを通って送達システム２００を挿入し、腹大動脈に配置することが可能である。モノフィラメント２５０／ワイヤー２３０を送達システム全体と一緒に引き戻し、ステント１０の対側脚３０を左腸骨動脈内に配置することができる。
【０１１２】
配備の第１ステップとして、対側脚が最初に解放されるように、ステントの対側脚を固定するワイヤー２３０を引き出す。モノフィラメント２５０を引っ張り、チューブ２１０を、左大腿動脈シースを通って除去する。第３のワイヤー２７０を取り除くことにより、ステント１０の同側脚３０を解放することが可能である。送達の次のステップで、ニチノールワイヤー２４０を引き出した後、ステントの共通ボディ２０を解放することが可能である。最終ステップで、送達システム２００の長いチューブを取り除き、右大腿シースを通って除去することが可能である。ステント１０の脚および共通ボディの解放の順序は、説明したばかりのものと異なってもよいことが理解されるであろう。
【０１１３】
本発明による送達システム２００の代表的な具体例では、多数の固定用ワイヤーを使用して、ステントの各脚および共通ボディについて、１つのみの代わりに幾つかの目立たないループを形成してもよい（すなわち、２４０、２３０および２７０）。このような具体例において、固定用ワイヤーの混み合った配置および閉鎖構造の可能性を低減させるために、先細りの尖端を有するワイヤーを形成することが可能である。本発明によるシステム２００の代表的な具体例では、ステントの所定部分の２つ以上の閉鎖構造を固定するための多数の目立たないループを形成するために、多数の対の穴に、２４０、２３０または２７０等の１本の固定用ワイヤーを前後に通すことが可能である。このような具体例では、先に示した同じ理由で、ワイヤーは先細であってもよい。上記２つの具体例のいずれかの組み合せを利用してもよいことが理解されるであろう。従って、２本以上の固定用ワイヤー（先細であってもよい）を、多数の対の穴に、それぞれ前後に通してもよく、１本の固定用ワイヤーを１対の穴のみに通してもよい。
【０１１４】
大動脈腸骨型の送達（２つのアクセス部位を使用してもよい）を、胆管系または血液透析移植片における二分岐ステントの留置に使用することが可能である。
【０１１５】
従って、本発明は二分岐した解剖学的構造が存在するあらゆるところで、有利な可能性がある。本発明は、Ｙ形を形成する３つの管腔全てを維持することができる粘着性のエレメントを含む。１つの連続した主要ボディーおよび２つの脚部から形成される本発明によるステントは、別々のステントを使用したＹ形ステンティング関連の、起こり得る全ての問題を排除することが可能である。最良の可能な封着を形成し、腫瘍浸潤を防止するために、（カバー付のステントを使用するのであれば）個々のステントは、互いにぴったり寄せて配置される必要がある。（Ｐｅｔｅｒｓｏｎ，１９９５）。別々のステントを用いてＴ形、Ｙ形またはＶ形の形状が実現される場合、管状構造の斜めの部分は最も弱いままである。
【０１１６】
たとえば、複雑な形状を作るのによく使用されるステント（たとえば、ＷＡＬＬＳＴＥＮＴおよびＧｉａｎｔｕｒｃｏ  Ｚ−ｓｔｅｎｔ）は、並んで配置されるとき、予想より低い膨張力を示す。本発明者のｉｎ  ｖｉｔｒｏ測定によれば、それぞれ、並んで配置された、２個のＷＡＬＬＳＴＥＮＴおよび２個のＺ−ｓｔｅｎｔの膨張力は、それぞれ、同じサイズの１個のＷＡＬＬＳＴＥＮＴおよび１個のＺ−ｓｔｅｎｔの中心で測定した膨張力より低かった（表２および１）。本発明によるステントは、二分岐のレベルでも、最高の膨張力を示す（表３）。２個のＷＡＬＬＳＴＥＮＴが非対称的に並んで配置された場合、部分的に圧縮されたステントの自由端の挙動は、さらに、自由端が与える可能性がある損傷を考慮するという問題を有する。
【０１１７】
単離された気管および／または気管支の病変を除き、二分岐の管腔維持に、自己膨張金属ステントは使用されていなかった。腹大動脈動脈瘤の治療に広く使用されるステント移植片は別として、Ｄｙｎａｍｉｃ気道内ステントのみが二分岐ステントとして作製されてきた（Ｆｒｅｉｔａｇ，１９９４）。
【０１１８】
適当なサイズの二分岐ステントを選択する際に、ステントの近位末端および遠位末端で、血管の直径が異なることを考慮に入れなければならない。理想的には、血管の直径とステントの直径との間の最良の可能な適合によって、楔効果が生じるであろう。この楔効果を使用して、ステントを血管内に固定することが可能であり、遠位移動を防止し、且つ理想より高い圧力により誘発される内膜過形成をたぶん減少させる。Ｐａｌｍａｚステント、ＷＡＬＬＳＴＥＮＴおよびＭｅｍｏｔｈｅｒｍニチノールステントの中で、短期および中期フォローアップ期間における新内膜形成に関して、他より好ましいと思われるものはないことが比較実験研究で判明した（Ｓｃｈｕｒｍａｎｎ、１９６６）。この時、可撓性ステント対剛性ステントを使用する利点、または内膜過形成の防止に関してバルーン援助配置が自己膨張送達機構より有利であるかどうかは立証されていない。ニチノール二分岐ステントに関して、ステントの可能なフレアー型近位末端により、必要に応じて、ステントの固定をさらに改善することが可能である。
【０１１９】
さらに、以下の一般的記述により、適当なサイズに作製されたステントを選択する際の手引きが提供される。このステントは、完全に伸ばした状態で体内に挿入することが可能である。このステントが、自由なサイズおよび形状をとれるとき、ステントをかなり短縮することが可能である。ステントが先ず短縮されるため、長さが少し減少することにより、ステントの直径は比較的大きく増大する。しかし、ステントが完全に自由な状態に近づくにつれて、この関係はさほど明白ではなくなり、長さの減少に比例した直径の増加は、はるかに小さくなる可能性がある。結果として、直径１２ｍｍのステント脚部または共通ボディが直径１０ｍｍの血管内に配備される場合、その脚部または共通ボディは、かなり伸びたままである可能性がある。しかし、血管の組織が柔軟であれば、この特徴は、有利な可能性がある。他のステント（たとえば、Ｚ−ｓｔｅｎｔ）を用いて得られたデータは、環状構造（血管、胆管樹等）の壁は容易に、次第に、且つ迅速に拡張されるため、ステントは、数時間ないし数日以内に、その自由なサイズを呈することができる。
【０１２０】
以下の例に記載の、本発明者の気道内研究で、本発明者は、ステント脚部も共通ボディも、ステント留置の２週間後でも、直径および長さが変化することを確認した。
【０１２１】
本発明は、動脈瘤の治療に使用することもできる。「腹（ＡＡＡ）または胸（ＴＡＡ）のいずれか」の大動脈動脈瘤の成功した治療は、循環から動脈瘤を完全に排除することによる。従って、ステント移植片を不完全に固定することにより、大動脈瘤嚢内の持続的な血流を招く可能性がある。内部漏出とも呼ばれるこれらの移植片周囲の漏出は、不完全な固定のために、近位末端および遠位末端で発生する可能性がある。血管内ＡＡＡ修復の８〜４４％で、内部漏出が併発する。内部漏出が動脈瘤破裂を引き起こすという実験的証拠および臨床的証拠がある（Ｂａｋａｌ，１９９８）。
【０１２２】
腹部大動脈瘤治療
腎下部の頚部が短い（＜２ｃｍ）場合には、近位内部漏出の危険性が増加することがある。こうした場合には、腎下部大動脈においてよりも腎臓周囲において、血管内移植の近位固定ステント、典型的にはＺ−ステントを配置することにより、近位漏出は防ぐことができる。固定ステントの覆いのない部分は腎動脈を横切って配置されるが、それに腎下部のレベルで始まる覆いのある部分が伴う。ステント移植片の何らかの近位移動（内管腔移動および／または動脈瘤の縮小による）により腎動脈（複数）の閉塞によって患者が脅かされることがあるという深刻な問題が残る。
【０１２３】
腎下部の頚部が短くない場合に起こる腹部大動脈瘤（ＡＡＡ）もまた、覆いの付いた二分岐ステント移植片を配置することにより治療される。その覆いの材料は薄く、またその織物の動きに追随することができるほど伸縮可能であるべきものである。使用可能な覆いの付いた材料には、織物ダクロン、非トロンボゲン形成のポリウレタン、超薄およびいくらか弾性のあるＰＴＦＥ、ポリエステル（ニューヨーク州Ｂｒｉａｒｃｌｉｆｆ  Ｍａｎｏｒ市にあるＴｅｔｋｏ社から市販されていて入手可能）、および生体適合性があって、そのステントの織物の動きに追随可能である何らかのその他の適当な材料が含まれる。織物ダクロンはポリプロピレン単繊維縫合糸を用いてそのステントと結合することができる。一つの実施態様では、織物ダクロンは５−０、６−０、または７−０縫合糸（Ｅｔｈｉｃｏｎ社製）を使用してそのステントと結合している。超薄およびいくらか弾性のあるＰＴＦＥは、その織物ダクロンと同じやり方でそのステントに結合されうる。非トロンボゲン形成のポリウレタンは、接着剤または熱を用いてそのステントに結合されうる。他の実施態様では、テフロンまたはシリコン化合物が上述されているいずれかの適当な手段を用いてそのステントに結合されうる。
【０１２４】
本発明によるステントを用いれば、覆いの付いた三分岐ステントを作ることができる。本発明の本実施態様では、ステント３００は共通本体３１０と２つの脚部３２０（図７）を有する。ステント３００の共通本体３１０（または腎上体幹）は、腹部大動脈の管腔内に配置され、一方、脚部３２０は、主腎動脈のなかに配置される。第３脚部３０５（または腎下部幹）もまた腹部大動脈に配置されるが、これは腎動脈の下（または尾側）に位置することになる。図７に図示されたステント３００の適当な部分は覆われている場合があるが、この覆いは、平明さを旨としているため、図示していない。本実施態様によると、腎動脈３１３のそれら内管腔と一緒にした大動脈３１２の腎臓周囲部分３３１の内管腔は、三分岐ステント移植片により最初に保持されるべきものであり（図８でも移植材料は平明さを旨としているため図示せず）、その後、もう一つの覆いの付いたステント移植片（直線管移植片または二分岐ステント移植片）を遠位腹部大動脈のなかに位置付けることが可能である。この２つのステント移植片はその後に互いに吻合し合って、完全に封じられた内部移植片を作り上げた。適切な密封性を備えた上でその２つのステント／ステント移植片の間の良好な接触／接続を達成するためには、直線管ステントまたは二分岐ステントの共通本体が好適に拡がるものがよい。
【０１２５】
本実施態様の潜在的な長所には以下のものが含まれる。すなわち、（１）動脈瘤の近位大動脈の頚部が短い場合であっても、ステント移植片の血管内修復に適当な患者を選択する際に限定的要素にはならない。（２）腎動脈の遠位塞栓形成および／または閉塞から起こる潜在的な危険性は取り除くことができる。また、（３）ステント移植片は完全な状態の大動脈の腎上体部分に固定されるので、動脈瘤嚢の完全な排除を潜在的に達成することができる。
【０１２６】
本実施態様の織物は、本発明による二分岐ステントを作り出すのに使用される織物と同様のものである。三分岐のバージョンを作り出すためには、織りの過程は、上述のように、３つの鋳型で始めるべきである。本発明者らの研究によると、最少４本のワイヤがそのステントの小さいほう（腎臓）の脚部３２０を形成するのに使用されるのがよい。そのステントの共通幹３１０は、全ワイヤがステント構造を織るのに使用される場合は、最大の直径を備えたものを形成するのがよい。このステントのこの部分は、大動脈のさらに頭方向に（腎上体に、または言い換えると、頭部に近いほうに）配置される。織りは２つの脚部で始め、共通幹のほうは別の道具立てで行うのがよい。図２７Ａに図示されているように、二分岐ステントの場合でのように、脚部用の鋳型はその後、上述されてまた図２７Ｂに図示されているように、共通幹の鋳型と一緒にするのがよく、また平織りは上述のように、連続して織られるのがよい。その組立て体はその後に、上述のように加熱され、また冷却されるのがよく、また必要に応じて上述のように、再形成し、再加熱するのがよい。
【０１２７】
二分岐ステントは、以下のやり方で送達されるのがよい。図６に図示されている送達システムは、両方の脚部および共通幹の下部と上部の両方が上述されているやり方で血管に対して確保されるように第３の管を含めるよう、同じ材料を用いて修正するのがよい。ステントはその後そのように確保されるのがよい。その後、右大腿動脈へのアクセスは、その右大腿動脈のなかに導入鞘を配置することにより確保するのがよい。２つの操縦可能なガイドワイヤはその後、頭側からのアプローチ（腋窩、上腕または頚動脈から）で大動脈のなかに挿入されるのがよい。外来物取戻し装置（好適には係蹄）を用い、それらガイドワイヤの両方を右大腿動脈のアクセスを通じて引っ張るのがよい。ガイドワイヤのそれぞれを、まだ体外にあるステント脚部の管腔を通じて引っ張るのがよい。そのステントはその後、送達システムの管腔のなかに配置される第３のガイドワイヤを超えて、腹部大動脈のなかに挿入して進めるのがよい。頭側動脈のアクセスから一本のガイドワイヤが各腎動脈のなかに配置されるのがよい。ステントの適切な定位は、そのステントの専用部分上にマーカーを配置することにより、容易なものにするのがよい。ガイドワイヤは好適には、ステントを捻ってしまうのを回避することができるように、その本体の外側にあるそれら区域上に右および左として、標識をつけるべきである。一旦両方の腎ワイヤを配置したら、送達システムに対してだけではなく、共通本体に対してもステントの脚部を保持するのに使用されている確保用ニチノール（ｎｉｔｉｎｏｌ）ワイヤは、一つずつ放すのがよい。その手順の最終段階では、ステントの共通本体を保持しているその確保用ワイヤもまた放すのがよい。
【０１２８】
胸部大動脈瘤治療
胸部大動脈瘤（ＴＡＡ）は、通常の外科手術で高い危険性が伴うと考えられている患者に対するより侵襲性が少ない血管内における方法により治療することができる。本目的のために現在入手可能なステント移植片を用いて、動脈瘤に対する大動脈頸部の近位および遠位で、直径≦４０ｍｍおよび長さ≧１５ｍｍを有していなければならない（Ｓｅｍｂａ、１９９８）。近位頚部が短い場合は、左鎖骨下動脈の潜在的な閉塞のために、ステント移植片による安全な治療を行うことができない。ステント移植片の近位固定ステントの位置を、左鎖骨下動脈を横切る位置に決めることにより、この問題を取り除く可能性をもった代替的な選択肢がもたらされる。その管腔を保持するために左鎖骨下動脈のなかに別のステントを配置することも、もう一つの実現可能性のある選択肢である。しかし、両方の解決法とも遠位塞栓および動脈閉塞の危険性が少々ある。
【０１２９】
図９および１０に図示されているように、左鎖骨下動脈用の小さな管腔の直径脚部５１０および大動脈管腔用のより大きな幹５２０を有している本発明による二分岐ステント移植片５００によって、問題は解決することができる。このステント移植片は動脈瘤の管腔を効果的に封じて、また、鎖骨下動脈の開存性を同時に維持する。平明さを旨としているため、ステント移植片５００のステントの全部または一部を覆うのに使用される移植材料は図９および１０には図示していない。図９および１０に図示されているステント移植片５００は、図１０に説明図が示されているように、大動脈３１２に置かれている第１の脚部、例えば、脚部５１０、第２の脚部、例えば、幹５２０を、また、両方の脚部５１０と幹５２０を形成しているワイヤから形成されている、脚部５１０と幹５２０の両方の近位部分である部分５１１を有する共通本体を有しているものと理解されるであろう。図１０は送達されるステント移植片５００を図示している。
【０１３０】
ステント移植片５００は、上述のように、平織りを用いて形成されているのがよく、また上の大動脈−腸骨適用送達システムを用いて送達されるのがよい。動脈瘤自体を治療するのに使用される同じステント移植片により、その動脈瘤に隣接している大動脈の大きいほうの分岐管腔の開存性を維持するという考え方が、腹部大動脈瘤（ＡＡＡ）および胸部大動脈瘤（ＴＡＡ）の内部移植に現在関連していて、もっとも頻繁に起こる深刻な問題を解決するのに用いられることであろう。
【０１３１】
大動脈弓再建術
本二分分岐ステントの一つまたはそれ以上が大動脈弓の再建術に使用される。この疾患が大動脈および一つまたはそれ以上の大きな血管（腕頭、左頸動脈または左鎖骨下動脈など）の両方で発症した場合は、用いるその治療法は、側枝における血流を危険にさらすことなく大動脈管腔を維持するように設計すべきである。目前に横たわっている病理学上の状態（動脈瘤など）から、新しい管腔を作ることによりその血液循環から動脈瘤嚢を取り除くためにステント移植片を用いることを治療に含めることが求められる。この治療法については、本発明による二分岐ステント移植片（覆いの材料は図示していないが）による胸部大動脈瘤（ＴＡＡ）の治療法を示す図１０に一つの実施態様が図示されている。
【０１３２】
大動脈の狭窄に伴う大きな動脈（例えば、鎖骨下動脈や総頚動脈）の狭窄を含めたそのほかの場合においては、大動脈管腔を、覆いの付いていない二分岐ステントを組み合わせて用いて再建することができる。図２０〜２２には、大動脈弓３１３、左鎖骨下動脈３１４、頚動脈３１６および右鎖骨下動脈３１７が図示されている。図２０はまた、２つの二分岐ステントを図示する。すなわち、その最初のものは、二分岐ステントＡであり、上述されているやり方で図６に図示されている送達システム２００を用いて送達されるのがよい。二分岐ステントＡが送達された後、二分岐ステントＢ（その２つのうちの２番目）は、同じ送達システムを用いて、また同じやり方で送達するのがよい。図２０に図示されているように、その２つの二分岐ステントはＡがＢをいくらかオーバーラップするように送達されるのがよい。二分岐ステントＢの織物は、説明図の平明さを旨としているため、図２０には図示されていない。
【０１３３】
図２１には、３つの二分岐ステントＡ、ＢおよびＣが図示されており、図２０に図示されている２つの二分岐ステントと同じようにまた同じオーバーラップ型で送達される。いくつかの状況下では、本出願に開示されている織り方の諸方法、この場合は直線的なものであるが、を用いて形成される二分岐ステント移植片とステント移植の組み合わせもまた用いられる。このように、医師は、その目的 を達成するために、ステントのいずれの組み合わせをも自由に利用する。
【０１３４】
現在の二分岐ステントが覆われているその程度は、必要とされる治療法によりさまざまである。図２２に図示されているように、幹５２０の部分（左鎖骨下動脈３１４の下流にある大動脈弓３１３の部分を占めている）は覆われているが、一方、左鎖骨下動脈３１４を占めている脚部５１０、左鎖骨下動脈３１４の上流に位置しているステント５００の部分５１１には覆いが付けられていない。
【０１３５】
胸部大動脈瘤が左鎖骨下動脈３１４の開口部をすぐ間近に取り囲んでいる大動脈の区域で発症する場合、または言い換えると、その動脈瘤の頭方向頸部が非常に短い場合は、本実施態様は利得的である。この状況では、左鎖骨下動脈３１４の血流を危険に曝すことなく直線ステント移植片の固定を安全かつ十分に達成する可能性が、動脈瘤の頭方向頸部が非常に短い場合は実質上なくなってしまうので、直線ステント移植片の使用（すなわち、非二分岐ステント移植片）は問題が多い。しかし、図２２に図示されている本発明の実施態様を用いると、覆いの付いてない脚部５１０が、左鎖骨下動脈３１４の開存性を維持するように設計されており、一方、幹５２０の覆いの付いている部分は動脈瘤嚢３１８を効果的に封ずるべきであり、それによって左鎖骨下動脈３１４からの内部漏出を防ぐ。左鎖骨下動脈３１４が動脈瘤拡張症に罹患した場合には、完全に覆いの付いたステント移植片を用いるべきである。いずれの実施態様も、部分的なものであれ、完全に覆いの付いたものであれ、上述のように、送達システムを用いて送達されるのがよい。
【０１３６】
横並び配置の２つの二分岐ステントを使用しての、大動脈及び両側性腎動脈置換
図４０に示されているように、２つの二分岐ステント１０（図示されていないステント移植片も使用されることが可能である）が、大動脈３１２及び腎動脈３１３内で横並びで使用されている。この例において、二分岐ステント１０（または二分岐ステント移植片５００（図示せず））が、二つの送達システム２００に固定され、前述のように送達されることが可能である。ステント１０は、同時に解放され、これにより、一方のステントが、他方のステントの欠如を代償にして膨張することが不可能にされる。１つの例では、各幹が、大動脈内で利用可能な管腔内空間の約５０％を占める。
【０１３７】
前述の２つの被覆されない二分岐ステントの使用は、腹部大動脈瘤が、腎循環を閉塞する移植片材料を有するステントことを事実上不可能にする、短い近位頸部（すなわち、腎動脈の上流で僅かにしか延びていないもの）を有する場合、保証される。動脈瘤頸部の長さおよび／または腎動脈からの内部漏洩の可能性に依存して、二分岐ステントの腎脚部は、被覆または被覆除去される。腎循環が、隆起部を被覆することにより損なわれない場合、腎動脈の上流に位置する、幹の部分は、被覆されないでよい。
【０１３８】
ステント配置及びステント配置及び経カテーテル塞栓から成る動脈瘤組合せ治療
本発明の１つの例において、二分岐（及びいくつかの損傷部においては三分岐でさえある）ステントが、移植片材料を備えることなしに、動脈瘤治療に使用されることが可能である。この例では、「裸の」ステントが、新たに形成された管腔表面の内皮層を発達させるための足場として用いられることも可能であり、一方、動脈瘤嚢は、経カテーテル塞栓により循環から除外されることが可能である。
【０１３９】
一般に、ステントは、適所に送達され、塞栓剤は、腹大動脈６５０、左側腎動脈６５２、右側腎動脈６５４、左側腸骨動脈６５６、右側腸骨動脈６５８を示す図３０に示されているように、周囲の動脈瘤嚢内に挿入されることが可能である。
【０１４０】
ステントは、前述のように適所に送達されることが可能である。図３０に示されているように、いったん、ステントが、適所に位置すると、（塞栓剤がＤＭＳＯを含む場合にはポリウレアウレタンではない）塞栓剤と化学的に相容性である血管造影用カテーテル６００（５フランスから７フランスまで）が、ステントの管腔内に挿入及び前進される。ステントの管腔内に血管造影用カテーテルを前進させる際、ステントを送達するのに使用されたガイドワイヤと同一のガイドワイヤをを使用することも可能である。しかし、ガイドワイヤの使用なしに、血管造影用カテーテルを前進させることも可能である。塞栓剤と化学的に相容性である、適切にサイズされたマイクロカテーテル６１０（２フランスから４フランスまで）が、次いで、適切にサイズされたガイドワイヤ（０．０１４インチから０．０２５インチまで）上で、血管造影用カテーテルを通過して前進されることが可能である。マイクロカテーテルの先端は、次いで、ステントの織物を通過して導かれて、動脈瘤嚢６２０内に入る。ステントの織物内の開口が、約２．１から２．５ｍｍである場合、血管造影用カテーテル６００は、動脈瘤嚢内に前進されることも可能である。塞栓剤６３０が、次いで、マイクロカテーテルを通過して、動脈瘤嚢内に挿入される。塞栓剤６３０は、非毒性であり、組織に対して非刺激性であり、取扱いが容易であり、連続的注射に適し、適切に放射線不透過性であり、占められていない空間から去ることなしに連続的に空間を充填することが可能であり、断片化されておらず、これにより、周囲塞栓形成を惹起することもある、新たに形成された管腔内に、ステントの織物を通過して戻る事態を許容しない。
【０１４１】
いくつかの流体塞栓材料（アルコール、ポリビニルアルコール、シアノアクリレート、Ｅｔｈｉｂｌｏｃなど）が、経カテーテル管閉塞のために使用可能であるにもかかわらず、それらのいずれも、この目的のために理想的とも、適切であるとさえも考えられていない。最近、非接着性液体塞栓剤であるエチレンビニルアルコールコポリマー（ＥＶＡＬ）が、日本で脳性ＡＶＭの治療のために医療的に使用された（Ｔａｋｉ，  ＡＪＮＲ，  １９９０；  Ｔｅｒａｄａ，  Ｊ  Ｎｅｕｒｏｓｕｒｇ  １９９１）。コポリマーは、メトリザミドと一緒に使用され、これにより、混合物が、放射線不透過性にされ、このようにして、このコポリマーは、本発明の塞栓剤として用いられることが可能となる。
【０１４２】
非常に最近、新規の塞栓剤（ＥＶＡＬと同様のもの）であるＥＭＢＯＬＹＸ  Ｅ（エチレンビニルアルコールコポリマー）Ｍｉｃｒｏ  Ｔｈｅｒａｐｅｕｔｉｃｓ  Ｉｎｃ．，  ｓａｎ  Ｃｌｅｍｅｎｔｅ，  Ｃａｌｉｆｏｒｎｉａ）が、開発され、これは、動脈瘤治療のために設計され（Ｍｕｒａｙａｍａ，  Ｎｅｕｒｏｓｕｒｇｅｒｙ  １９９８）、本発明の１つの例において塞栓剤として利用されることが可能である。塞栓剤は、２つのサブユニットすなわちエチレン（疎水性）及びビニルアルコール（親水性）のランダム混合物から成る。ミクロン化タンタル粉末が、それに添加されて、適切な放射線不透過性を獲得し、ＤＭＳＯ（ジメチルスルホキシド）が、有機性溶液として使用される。ポリマーが、血液などの水性媒体に接触すると、溶媒は、急速に拡散して、混合物から離れ、これにより、ポリマーのｉｎ  ｓｉｔｕでの沈殿及び凝固が発生し、この場合、海綿状塞栓が形成され、管壁への接着は発生しない。ＥＭＢＯＬＹＸ  Ｅのものに類似の特徴を有する任意の材料が、本発明のための塞栓剤として用いられることが可能である。
【０１４３】
腹部動脈瘤及び胸腹部動脈瘤は、前述のように治療されることが可能である。いくつかの他の個所（例えば外部腸骨動脈）において、偽動脈瘤および／または腫瘍誘発腐食性出血も、前述のように治療されることが可能である。
【０１４４】
移植片カバーなしに、二分岐ステントを送達するのに使用されることが可能である送達システムのサイズは、管内へのステントの挿入が、経皮的挿入に後続して行われることが可能であるように、十分に小さいことも可能である。送達システムは、くねった管の解剖学的状態を乗り切るのに適することも可能である。前述の治療は、外科的介入放射線治療法技術を使用して行われ、これにより、手術の必要性が除去される。塞栓形成は、除外された動脈瘤嚢をしばしば再充填する腰動脈を閉塞することもある。前述の治療を使用する結果として、患者腰動脈からの漏洩が、除去されることが可能である。
【０１４５】
次の例は、本発明の例示的例を示すために含まれている。後続する例に開示されている技術は、本発明の実施において機能するために、本発明人により発見された技術を示し、このようにして、その実施のための例示的形態を成すものと見なされることが可能であることを、当業者は理解されたい。しかし、当業者は、本開示を斟酌して、多数の変更が、開示されている特定の例において行われ、なおも、本発明の精神及び範囲から逸脱することなしに、同様のまたは類似の結果を得ることが可能であることが分かる。
【０１４６】
例１
材料及び方法
以下、本発明人は、本発明の新規の二分岐ステント設計の特徴（すなわち膨張力または半径方向力及び可撓性）を確証するためのｉｎ  ｖｉｔｒｏ研究の結果を示し、これらの特徴を、Ｇｉａｎｔｕｒｃｏ−Ｒｏｅｓｃｈ胆汁Ｚステント及びＷＡＬＬＳＴＥＮＴのものと比較する。加えて、本発明人は、ブタにおける新規のステントの気管気管支用途での本発明人の予備的結果を示す。
【０１４７】
前述のように、本発明による自己膨張可能な二分岐ステントは、１つの共通の主ボディと、１つの統一的要素として形成されている２つの脚部とから成るＹ形（Ｙステント）を有する。
【０１４８】
この研究に使用されたステントは、手作業製織により形成された。円形プレートを有する木製スタンドが、ステントを製織するのに使用された。管状銅製テンプレートの端部のうちの１つが、その周縁の周りに複数の穴を備える。各ワイヤの中間部分は、これらの穴を通過して配置されている金属ピンに懸架され、ある長さの銅製ワイヤによりテンプレートに固定された。１００グラムの錘が、ニチノールワイヤの各自由端に取付けられた。ワイヤが取付けられたテンプレートは、次いで、逆さまの位置で、スタンドの円形プレートの広い中央穴を通過して配置された。この配置において、ワイヤ取付けのために形成された穴を有するテンプレートの端部は、うつぶせになっている。中央錘（約６００ｇ）が、テンプレートのこの端部に懸架され、１００グラムの錘を有するニチノールワイヤが、円形プレートの扁平表面上を導かれた。
【０１４９】
ワイヤ端部は、円形プレートの周縁の周りに均等に配置された。１００グラム錘と、中央錘とは、ワイヤを緊張下そして平衡下に維持した。製織は、２つのワイヤ端部で開始した。ワイヤ端部のうちの１つ（例えば左側端部）が、右側端部上を交差された。時計回り方向で、左側ワイヤ端部が、対応する右側端部上を同様に交差された。この運動は、円形が完了されるまで、継続された。この運動の方向が、次いで、逆にされ、ワイヤ交差は、逆時計回りで行われた。織物の緊密性（ワイヤとワイヤとの間の角度）は、中央錘を交換することにより、調整された。中央錘の増加により、より緩やかな織物（ワイヤとワイヤとの間の角度が減少）が得られ、その逆も当てはまった。
【０１５０】
ニチノールワイヤの平織が、金属テンプレート上で完成された後、ステント／テンプレートユニットは、１２−１５分にわたり、５００゜Ｃに加熱された。室温に冷却した後、ステントワイヤは、超弾性特性を獲得した。
【０１５１】
このｉｎ  ｖｉｔｒｏ研究において、本発明によるＹステントは、１２０．００５インチワイヤを使用して、行われた（Ｓｈａｐｅ  Ｍｅｍｏｒｙ  Ａｐｐｌｉｃａｔｉｏｎｓ，  Ｓａｎｔａ  Ｃｌａｒａ，  ＣＡ）。共通のボディ及び脚部の外径は、それぞれ、８．５ｍｍ及び５．５ｍｍであった。Ｙステントの特徴が、４ボディ形Ｃｉａｎｔｕｒｃｏ−Ｒｏｅｓｃｈ胆汁Ｚステント（Ｒ：登録商標）  （Ｃｏｏｋ  Ｉｎｃ．，  Ｂｌｏｏｍｉｎｇｔｏｎ，  ＩＮ）及びＷＡＬＬＳＴＥＮＴ（Ｓｃｈｎｅｉｄｅｒ，  Ｍｉｎｎｅａｐｏｌｉｓ，  ＭＮ）と比較された。Ｚステントの各ボディは、各端部における６ベンドと、１２ｍｍ外径とを有する０．０１２インチステンレススチールから形成された。ＷＡＬＬＳＴＥＮＴは、ＷＡＬＬＳＴＥＮＴは、２４外科用品等ステンレススチール合金ワイヤ（０．００６インチ）から形成され、９．５ｍｍの非拘束外径を有する。
【０１５２】
加えて、真直ぐで円筒形のニチノールステントが、膨張力に対する、ワイヤ数及び織物緊密性の変化の作用を評価するために、１３ｍｍの均一な外径で製造された。ステントは、６、８、及び１０の０．０１１インチ血弾性ニチノールワイヤから形成され、織物の緊密性が、６つのワイヤから成る２つのステントにおいて、変化された。
【０１５３】
ステントの膨張力は、Ｆｌｌｏｎｅにより説明された方法を使用して、測定された（Ｆａｌｌｏｎｅ  ｅｔ  ａｌ．，  １９８８）。この方法により行われた測定は、ステントが管状構造（例えば血管）内で膨張して到達する最終的半径が、ステントに対して、本構造の壁により発揮される圧力に依存する事実を基礎とした。平衡状態において、壁によりステントに対して発揮される圧力は、ステントにより壁に対して発生される圧力に等しい。外圧に対するステントの応答は、ステントの周りに配置される非弾性カラータイプ装置を使用して、測定されることが可能である。
【０１５４】
非弾性紙ストリップと、５００ｇの能力を有する管状ばねゲージとを含んで成る装置が、ステントの膨張力を測定するために製造された。非弾性紙ストリップの一端は、固定され、他端は、ばねゲージに取付けられ、これにより、調整可能な直径を有する円形ゲージが形成された。ステントは、カラー内に配置された。ばねを引張ると、均一な圧力が、ステント上に印加され、このようにして、ステントの半径が、初期値Ｒ0からＲに減少した。ステントの１０ｍｍの周縁の変位を惹起するのに必要な（グラム単位で測定された）力が、各ステント設計の膨張力を比較するのに使用された。
【０１５５】
「グラム」単位は、力の測定値として、本願明細書において使用された。力の正しい単位は、グラム単位の質量と重力定数との積に等しい「ダイン」であるにもかかわらず、本発明人は、平均的読者は、関連質量単位（グラム）が特定される場合、力のサイズに関してより良く理解するであろうと信ずる。
【０１５６】
Ｚステント及びＷＡＬＬＳＴＥＮＴにおいて、カラーにより発揮される力と、ステントの周縁の変位との間の相関関係が、ステントの中間部分において測定された。最初は、測定は、単一のステント上で起これ、次いで、第２の同一のステントが、前者に横並びに配置され、測定が、繰り返された。これは、二分岐の個所で発生する損傷を治療するために、横並びに配置される２つのステントをシミュレートするために行われた。負数ボディ形Ｇｉａｎｔｕｒｃｏ−Ｒｏｅｓｃｈ胆汁ステントはボディがナイロンモノフィラメント縫合術により接合されている点の個所で最も弱い事実を考慮して、測定は、これらのステントの第２のボディの中間部分の個所で行われた。本発明のＹステントは、共通のボディの中間部分と、二分岐（脚部の接合部及び共通のボディ）との個所で測定された。測定値は、各ステントにおいて１０回得られ、結果が、平均化された。
【０１５７】
ステントの可撓性を確立するために、ステントの中間部分における管腔直径が、ステントの両端を保持し、ステントの中央を１８０゜湾曲しつつ、測定された。変換比が、次いで、次式を使用して計算された。
”Ｄ０−Ｄ１］／Ｄ０                                              ”１］
ただし、Ｄ０は、湾曲前のステントの管腔直径であり、Ｄ１は、湾曲後の管腔直径である。この試験は、各ステントにおいて１０回行われ、結果が、平均化された。
【０１５８】
統計分析において、繰返しＡＮＯＶＡ法（可撓性）及びスチューデントのｔ検定及びマン−ウイトニーのＵ検定（膨張力）が使用された。
【０１５９】
動物研究
本発明のＹ形ステントのうちの１４と、対応する送達システムとが、９頭のブタの気管気管支系において試験された。第一に、本発明人は、二分岐ステントを製造及び使用し、前記ステントの共通のボディは、より大きい前部直径を有する僅かに楕円形の横断面を有した（１８ｍｍ対それらの１５ｍｍのａ−ｐ直径）。共通のボディの高さは、これらのステントにおいて１０−１２ｍｍであり、一方、脚部は、２．８ｍｍ−３．１ｍｍの長さであり、９ｍｍの直径を有した。
【０１６０】
二分岐送達システムは、２つの７−Ｆテフロン管から形成された。１４−Ｆ薄壁テフロンさやの部品が、これらの管の近位半体の周りに引張って嵌められ、これにより、前記半体は一緒に保持される。送達システムでいくつかの経験を獲得した後、本発明人は、より長いセグメントの７−Ｆ管を被覆し、この場合、管の遠位１５−１７ｃｍのみが被覆されなかった（この長さは、ステントの完全に伸長された長さに相応する）。４つの対の穴が、各７−Ｆ管の端部の密な近傍に形成され、管の周縁の周りに均等に配置された。各対における対応する穴と穴との間の距離は、約４−５ｍｍであった。２つの他の対の穴は、同一の管上に遠位穴から約１４−１６ｃｍ間隔を置いて、形成された。０．００９インチ超弾性ニチノールワイヤが、ステントの端部を送達システムに固定するのに使用された。第一に、４つの固定ニチノールワイヤが、７−Ｆ管のうちの１つの管の管腔を通過して配置された。これらのワイヤは、これらの管の遠位端に密接して配置されている近位穴を通過して、管腔内に配置された。二分岐ステントの脚部のうちの１つは、７−Ｆ管の周りに引張って嵌められ、前記４つの作製された超弾性ニチノールワイヤが、ステントメッシュの遠位端の個所で、ステントメッシュを通過して導かれた。実際、ステントの中間部分とワイヤの中間部分とから形成された角度は、ステントを送達システムに固定するのに使用された。
【０１６１】
固定ニチノールワイヤの遠位端が、次いで、各対の穴のうちの遠位の穴を通過してねじ込まれ、これにより、各対の穴のうちの２つの対応する穴の間に扁平で緊張されたニチノールワイヤが形成された。緊張されたワイヤループは、ステントの脚部の端部を、管にしっかりと保持した。ステントの他方の脚部は、同一の方法で、送達システムに取付けられた。ステント冠が、同一の技術を使用して、送達システムに固定され、すべてで、４つの他の０．００９インチ固定ニチノールワイヤ（管当たり２つ）が、ステントの近位部分と、送達システムとの間の定常の接続を形成するために使用された。７−Ｆ管上に形成された近位穴対が、この目的のために使用された。すべてで６つの固定ニチノールワイヤあ、各７−Ｆテフロン管の管腔内に配置された。
【０１６２】
固定ニチノールワイヤの近位端が、マーキングされ、互いから分離され、これにより、各７−Ｆ管内に２つの束のワイヤが形成され、それらのうちの２つは、ステント冠を固定するのに使用され、他方の４つは、ステントの脚部のうちの１つの脚部を保持するのに使用された。へたる先端を有する０．０１８インチニチノールガイドワイヤ（Ｍｉｃｒｏｖｅｎａ  Ｃｏｒｐ．）が、各管の管腔内に配置された。ガイドワイヤは、固定ワイヤの運動を邪魔することなしに、自由に動くことが可能であり、その逆も当てはまった。
【０１６３】
ステントは、Ｘ線透視下で、８ｍｍまたは８．５ｍｍ直径気管管を通過して配置された。送達の第１の段階で、本発明人は、ニチノールガイドワイヤにより主気管支をカニューレ挿入した。いったんガイドワイヤの右側位置が、達成されると、送達システムの脚部が、ステントの二分岐が、竜骨により捕捉されまで、ガイドワイヤ上を前進された。この時点で、ステント冠が、各７−Ｆ管内の２つの固定ニチノールワイヤを引張り戻すことにより、解放された。その直後、ステントの脚部が、各側における４つの固定ニチノールワイヤを引き戻すことにより、解放された。送達システムは、次いで、気管気管支系から除去された。
【０１６４】
結果
第１部：ｉｎ  ｖｉｔｒｏ研究
膨張力
ステントの膨張力の測定からの累積的データが、下記の表１、２及び３に記載されている。各表において、各表の最左側の列内のΔの印は、当該ステントの（ｍｍ単位の）周方向変位を表す。例えば、２ｍｍのΔは、当該ステントの周縁が、２ｍｍだけ減少されたことを示し、その変位を達成するのに必要な力が、次いで、記録されている。
【０１６５】
【表１】
0004825883.tif 000002
【０１６６】
【表２】
0004825883.tif 000003
【０１６７】
【表３】
0004825883.tif 000004
【０１６８】
１つの単一形４ボディ形Ｚ−ステントの１０ｍｍの周方向変位を惹起するのに必要な（グラム単位で測定される）力は、８１ｇであり、６２ｇが、横並び配置の２ボディ形Ｚ−ステントに対して必要である（ｐ＜０．０００１）。ＷＡＬＬＳＴＥＮＴにおいて、６０ｇ及び４８ｇが、それぞれ、必要である（ｐ＜０．０００１）。共通のボディ及びＹ−ステントの二又に対する値は、それぞれ、１６７ｇ及び１６４ｇである。これらの結果は、１２０．００５インチニチノールワイヤから本発明により構築されたニチノールＹ−ステントの膨張力が、０．０１２インチステンレススチールから製造された６ベント形Ｚ−ステントまたは２４ステンレススチール合金ワイヤ（０．００６インチ）から形成されるＷＡＬＬＳＴＥＮＴにより発揮される力より大きいことを示す。二又ステントは、ＺステントまたはＷＡＬＬＳＴＥＮＴに比して大幅により大きい膨張力を示した（ｐ＜０．０００１）。共通のボディ及びＹ形ステントの二又の個所で測定された膨張力は、ほぼ同一であった（ｐ＜０．００９２）。
【０１６９】
ステント可撓性
４ボディ形Ｇｉａｎｔｕｒｃｏ−Ｒｏｅｓｃｈ胆汁Ｚステントは、４０゜の角度でステントの中間部分内のその管腔を喪失し始めた。管腔は、９０−１００゜で完全に崩壊した。ＷＡＬＬＳＴＥＮＴが湾曲された場合、管腔直径は、１００゜のベンドにおいて、９ｍｍから、１２．０ｍｍの平均直径に増加した。これは、変換比が１２．０ｍｍ（領域：２７．７％から４４．４％）であったことを意味する。しかし、ステントは、管腔直径が増加すると同時に短縮した。本発明のＹステントの共通のボディが、中間で１８０゜湾曲された場合、管腔直径は、８ｍｍから７．３ｍｍの平均値に減少した（領域：７．５−７．０ｍｍ）。Ｙステントにおける変換比は、８．７５％（６．２５−１２．５０％）であった。ステントは、湾曲の間に短縮しなかた。Ｙ形ステントの可撓性は、Ｚステント及びＷＡＬＬＳＴＥＮＴの双方に対してより優れていた（ｐ＜０．０００１）。
【０１７０】
第２部：動物における評価
ステント配置は、１４のケースのうち９のケースで技術的に成功した。送達システムの故障により、尚早の展開となり（２ケース）、展開の間にステント脚部がねじれ（２ケース）、ステント脚部を解放することが不可能となった（１ケース）。５つのステントが移動した、何故ならば、拘束されないステント直径は、気管気管支系より小さかった。それらのうちの３つは、ステントのサイズと気管気管支系との間の有為な相違に起因して、ステント送達後１週間で除去された。持続的な咳が、３つのブタにおいて発生した、何故ならばステント脚部が、主茎気管支より長く、これにより、遠位気管支内へ配置されたからである。
【０１７１】
３つの動物が、８週間までにわたり追跡され、１つの動物は、ステント配置後４週間にわたり追跡された。これらすべてのステントは、開存性のままであり、ステントの存在に起因する肺臓の損傷は発生しなかった。これらの動物は、ステントに対して良好な耐性を有した。
【０１７２】
検討
ニチノールワイヤの性質に起因して、本発明のＹステントは、その超弾性を利用して、扁平に伸長され、配置されることが可能である。従って、損傷部の個所でステントを挿入した後、ステントは、その拘束状態から容易に回復し、バルーン付きカテーテルは必要とされない。設計のユニークな連続的な編み方により、間隙形成なしに、二又の個所に発生した損傷部の実質的に完全な被覆を達成されることが可能となる。従って、このタイプの損傷を処理するために、本発明による単一形ステントを使用することが可能であり、一方、複式ステントのためには、特別の技術及び配置が必要となる。
【０１７３】
このｉｎ  ｖｉｔｒｏ研究において、本発明のＹステントは、ＺステントまたはＷＡＬＬＳＴＥＮＴに比してより大きい膨張力を示した。この研究は、横並びの２つのＺステントまたは２つのＷＡＬＬＳＴＥＮＴは、各タイプの単一形ステントより小さい半径方向力を示した（ｐ＜０．０００１）。従って、横並びのＺステントまたはＷＡＬＬＳＴＥＮＴを使用する論理的根拠は、疑わしい。
【０１７４】
Ｙステント及びＷＡＬＬＳＴＥＮＴなどの簡単な織りパターンを使用することにより形成されるステントの性質に影響する多数の要因が存在する。メッシュを形成するのに使用されるワイヤのサイズ及び数と、ワイヤとワイヤとの間に形成される角度と、ワイヤの形状記憶特性とが、環状人工装具の物理特性を決定する。従って、完全に異なる膨張力を有する類似の管腔直径のステントが、ワイヤのサイズおよび／または数及び織り方の緊密性を変更することにより形成されることが可能である。
【０１７５】
ワイヤの数または織り方の緊密性を増加させると、さらに、ステントの半径方向力が増加する。（例えばＷＡＬＬＳＴＥＮＴなどの）平織により形成されるステントのワイヤとワイヤとの間の角度は、好ましくは、９０゜より大きくなければならないことは良く知られている。ワイヤとワイヤとの間の角度が大きいほど、ステントの膨張力が大きい。これらの特徴が、ニチノールワイヤの優れた形状記憶と相俟って、高い半径方向力を有するＹステントを形成することを可能にする。高い膨張力を有するＹステントは、傷痕組織形成または悪性腫瘍により惹起されるものなどの剛性狭窄部分を処理するのを支援することが可能である。
【０１７６】
ステント直径とワイヤ角度とは、同様に、密に関係している。ワイヤとワイヤとの間の角度を増加させることにより、Ｙステントの内径は増加し、逆に、ワイヤとワイヤとの間の角度を減少させることにより、ステントの内径は減少し、ステントは細長くなる。この特徴は、たんに、ワイヤ角度を再調整し、次いで、ニチノールメッシュを再加熱することにより、様々な織物ニチノールステントの生産のために利用されることが可能である。その結果として、ニチノールステントの織り方、半径方向力、直径、長さ、及び形状は、一次的な製織及び加熱プロセスを完了した後、二次的に改変されることが可能である。ＷＡＬＬＳＴＥＮＴの場合、物理特性が、製織プロセスの間にステントに付与され、前記物理特性は、後に変化されることが可能でない。
【０１７７】
より大きい膨張力を示すことに加えて、織物ニチノール直線形ステント及びＹステントは、良好な可撓性を示した。これらの特徴は、これらのステントが、くねった湾曲構造で展開されるのを可能にし、その際、ステントの管腔直径を維持し、管腔が、Ｚステントにおいて発生することもある崩壊を経験することを阻止するのを可能にする。
【０１７８】
ＷＡＬＬＳＴＥＮＴとＹステントとは、それらの中間部分における１８０゜の湾曲に対して異なって反応する。ＷＡＬＬＳＴＥＮＴの内径は、増加し、ワイヤメッシュは緊密化し、ステントは短縮し、一方、Ｙの内径、ワイヤメッシュ及び長さは、実質的に不変である。２つのステントの異なる挙動は、部分的に、織物ニチノールステントの閉構造に帰せられる。
【０１７９】
Ｙステントの閉構造は、ステント送達のための好ましい特徴でもある。ステントワイヤの中間部分でステントワイヤを湾曲することにより、そして、ステントワイヤの自由端を互いに結合する複数回ねじりまたは他の手段を使用することにより形成される、これらの閉構造は、ステントの両端が、送達カテーテルに固定されることを可能にする。２つの同心に配置されている可動管から成る送達システムを使用して、ステントは、完全な解放前の１００％の膨張の後でさえも、再位置決めされることが可能である。加えて、ステントは鋭利なワイヤ端部を有しないので、潜在的な組織のかき切り及び穿孔が、回避されることが可能である。
【０１８０】
これらの予備のｉｎ  ｖｉｔｒｏ及び動物研究は、連続的ニチノールワイヤにより製織されたＹステントが、優れた自己膨張可能特性を有することを示した。この新規のステントは、管状解剖学的構造の二又の個所に発生する冠性及び非管性の損傷の治療に有用であろう。
【０１８１】
本設計の良好な可撓性及び高い膨張力は、くねった損傷にステントを装着させるのを促進し、創傷または悪性腫瘍に由来する剛性狭窄を橋絡するのを促進することが可能である。本発明のステントは、二又及び三又領域のために開発された。
【０１８２】
本明細書において開示及び請求される方法および／または装置すべては、本開示を斟酌して、過度の実験なしに、形成及び実施されることが可能である。本発明の構成及び方法は、好ましい例において説明されたが、変形が、本発明の概念、精神及び範囲から逸脱することなしに、本方法および／または本装置に適用され、本願明細書に記載の方法のステップまたはステップシーケンスにおいて適用されることが可能であることは、当業者に自明である。より詳細には、ある特定の要素が、本願明細書に記載の要素を置換することが可能であり、その際、同一または類似の結果が達成されることが可能であることは自明である。当業者に自明のすべてのこのような置換及び変更は、添付の請求の範囲に記載の、本発明の精神、範囲及び概念内に入るものとする。
【０１８３】
文献
以下の文献は、それが例示的手法または本明細書中に記載したものを補足する他の詳細を提供する限りにおいて、具体的に引用して本明細書の記載の一部とする。
【０１８４】
Bakal, "Diagnosis and Management of Perigraft Leaks," 23rd Annual Scientific Meeting of SCVIR, San Francisco, CA., pp 38-39, Feb. 28-March 5, 1998.
Fallone, Wallace, Gianturco, "Elastic characteristics of the self-expanding metallic stents," Invest. Radiol., 23:370-376, 1988.
Fort, "Coronary 'Y' stenting: A technique for angioplasty of bifurcation stenosis," Can. J. Cardiol., 12(7):678-682, 1996.
Freitag et al., "Theoretical and experimental basis for the development of a dynamic airway stent," Eur. Respir. J., 7:2038-2045, 1994.
Gillams, Dick, Dooley, Wallsten, Din, "Self-expandable stainless steel braided endoprosthesis for biliary strictures," Radiology, 174:137-140, 1990.
Gunther, Vorwerk, Bohndorf et al., "Venous stenoses in dialysis shunts: Treatment with self-expanding metallic stents," Radiology, 170:401405, 1989.
Irving, Adam, Dick, Dondelinger, Lunderquist, Roche, "Gianturco expandable metallic biliary stents, results of a European clinical trial," Radiology, 172:321, 1989.
Milroy, Chapple, Eldin, Wallsten, "A new stent for the treatment of urethral strictures," Br. J. Urol., 63:392-396, 1989.
Morita, "Interventional radiology for the treatment of inoperable malignant biliary obstruction," Jap. J. Diagn. Imaging, 17(5):526-535, 1997.
Murayama, Vinuela, Ulhoa, Akiba, Duckwiler, Gobin, Vinters, Greff, "Nonadhesive liquid embolic agent for cerebral arteriovenous malformations: Preliminary histopathological studies in swine rete mirabile," Neurosurgery, 43:1164-1175, 1998.
Nashef, Dromer, Velly, Labrousso, Couraud, "Expanding wire stents in benign tracheobronchial disease: Indications and complications," Ann. Thorac. Surg., 54:937-940, 1992.
Palmaz, "Balloon-expandable intravascular stent," AJR, 150:1263-1269, 1988.
Peterson et al., "Gianturco-Rosch Z stents in tracheobronchial stenoses," JVIR, 6:925-931, 1995.
Schampaert, "The V-stent: a novel technique for coronary bifurcation stenting," Cathet. Cardiovasc. Diagn., 39(3):320-326, 1996.
Semba, "Endovascular Grafting in the Thoracic Aorta," 23rd Annual Scientific Meeting of SCVIR, San Francisco, CA., pp. 39-42, Feb. 28-March 5, 1998.
Shurman et al., "Neointimal hyperplasia in low-profile nitinol stents, Palmaz stents, and Wallstents:  a comparative experimental study," Cardiovasc. Intervent. Radiol., 19:248-254, 1996.
Taki, Yonekawa, Iwata, Uno, Yamashita, Amemiya, "A new liquid material for embolization of arteriovenous malformations," AJNR, 11:163-168, 1990.
Terada, Nakamura, Nakai et al., "Embolization of arteriovenous malformations with peripheral aneurysms using ethylene vinyl alcohol copolymer," J. Neurosurg., 75:655-660, 1991.
Wallace, Charnsangavej, Ogawa et al., "Tracheobronchial tree: Expandable metallic stents used in experimental and clinical applications," Radiology, 158:309-312, 1986.
Wallsten, "Prosthesis comprising an expansible or contractile tubular body," U.S. Patent No. 4,655,771, Issued April 7, 1987.
【図面の簡単な説明】
【０１８５】
【図１Ａ】図１Ａは本発明の１実施例の二又ステントの斜視図である。
【図１Ｂ】図１Ｂは本発明の１実施例の平編ワイヤ構成の側面図である。
【図１Ｃ】図１Ｃは本発明の１実施例の２本のワイヤからなる二又ステントの前面図である。
【図２】図２は本発明の１実施例のデリバリシステムの基底部の前面図である。
【図３】図３は本発明の１実施例の二又ステントのデリバリシステムの斜視図である。
【図４】図４は本発明の１実施例のデリバリシステムの一部の斜視図である。
【図５】図５は本発明の１実施例のデリバリシステム上のストレッチ二又ステントの斜視図である。
【図６】図６は本発明の１実施例のデリバリシステムの斜視図である。
【図７】図７は本発明の１実施例の三又ステントの前面図である。
【図８】図８は本発明の１実施例の三又ステントの配送された位置における前面図である。
【図９】図９は本発明の１実施例の二又ステントの前面図である。
【図１０】図１０は本発明の１実施例の二又ステントの配送された位置における前面図である。
【図１１】図１１−１９は本発明の１実施例の手編み方法の各段階を示した図である。
【図２０】図２０は大動脈弓に配送された本発明の１実施例の２つの二又ステントを示した図である。
【図２１】図２１は大動脈弓に配送された本発明の１実施例の３つの二又ステントを示した図である。
【図２２】図２２は大動脈弓に配送され、動脈瘤嚢を密閉する本発明の１実施例の部分的に覆われた二又ステントを示した図である。
【図２３】図２３は本発明の１実施例の二又ステントのためのテンプレートの斜視図である。
【図２４】図２４は本発明の１実施例の二又ステントのためのテンプレートが組み込まれた位置における斜視図である。
【図２５】図２５Ａ−Ｃは脚部テンプレート上で編まれ、編み込みが続けられている共通ボディテンプレートに取り付けられた本発明の１実施例のワイヤの側面図である。
【図２６】図２６は組み込まれたテンプレート上で編まれた本発明の１実施例の二又ステントの斜視図である。
【図２７Ａ】図２７Ａは本発明の１実施例の三又ステントを形成するため配置されたテンプレートの斜視図である。
【図２７Ｂ】図２７Ｂは本発明の１実施例の三又ステントを形成するため配置されたテンプレートとその上で編まれたワイヤの斜視図である。
【図２８】図２８は本発明の１実施例の補強ワイヤをつけた生物分解可能な脚部の斜視図である。
【図２９】図２９は本発明の第二実施例の補強ワイヤをつけた生物分解可能な脚部の斜視図である。
【図３０】図３０は本発明の１実施例の経カテーテル塞栓術で治療されている腹部大動脈瘤を示した前面図である。
【図３１】図３１はその周面でワイヤが曲げられている縦長のタブを有す本発明の１実施例のテンプレートの拡大斜視図である。
【図３２Ａ】図３２Ａは本発明の１実施例の図３１に示した曲がったワイヤと縦長のタブの拡大斜視図である。
【図３２Ｂ】図３２Ｂは本発明の１実施例のループを形成するためその周面でワイヤが曲げられている図３１に示した縦長のタブの拡大斜視図である。
【図３３】図３３は本発明の１実施例の縦長のタブの周面で曲げられ一対のボビンに巻かれたワイヤの斜視図である。
【図３４】図３４は本発明の１実施例のボビンに配された上部および下部編プレートの上面図である。
【図３５】図３５は本発明の１実施例の一つのテンプレート周囲の異なった平面に置かれボビンに配された上部および下部編プレートの上面図である。
【図３６Ａ】図３６Ａは本発明の１実施例のボビンおよびワイヤに配され一つのテンプレート周囲に置かれた上部および下部編プレートの上面図であり、ワイヤの第一の交差部を示した図。
【図３６Ｂ】図３６Ｂは本発明の１実施例のワイヤを曲げて形成された小口径ループの前面図である。
【図３７Ａ】図３７Ａは本発明の１実施例のボビンおよびワイヤに配され一つのテンプレート周囲に置かれた上部および下部編プレートの上面図であり、ワイヤの第一の交差部を示した図。
【図３７Ｂ】図３７Ｂは本発明の１実施例のワイヤを曲げて形成されたベンドの前面図である。
【図３８】図３８は本発明の１実施例のボビンに配され、ボビンの軸が伸びている編プレートの表面が対面するよう一つのテンプレート周囲に置かれた上部および下部編プレートの斜視図である。
【図３９】図３９は本発明の１実施例のボビンとワイヤに配され、ボビンの軸が伸びている編プレートの表面が対面するよう一つのテンプレート周囲に置かれた上部および下部編プレートの斜視図である。
【図４０】図４０は本発明の１実施例の動脈内に横に並んで置かれた二つの二又ステントの前面図である。
【図４１Ａ】図４１Ａは本発明の１実施例の編ステントのワイヤ端をひねるための用具の斜視図であり、一部断面図。
【図４１Ｂ】図４１Ｂは図４１Ａの用具の口部と外装の断面図である。
【図４２Ａ】図４２Ａは本発明の１実施例の横長のタブを有するテンプレートの回りに編まれたステントの共通ボディの用具の斜視図である。
【図４２Ｂ】図４２Ｂは横長のタブの一つと図４１Ａに示したひねられたワイヤ端の拡大斜視図である。
【図４３】図４３はフィニッシュピンを有するリングが糸通し状に組み込まれたテンプレートの斜視図である。
【図４４】図４４はフィニッシュピンが通されたフィニッシュホールを有するテンプレートの斜視図である。
【図４５】図４５は本発明の１実施例の編プレート支持台に支持された上部および下部編プレートの前面図である。
【図４６】図４６はこの上で二又ステントが編まれている本発明の１実施例の二つのテンプレートの組み合わせの斜視図である。
【図１Ａ】
0004825883.tif 000005
【図１Ｂ】
0004825883.tif 000006
【図１Ｃ】
0004825883.tif 000007
【図２】
0004825883.tif 000008
【図３】
0004825883.tif 000009
【図４】
0004825883.tif 000010
【図５】
0004825883.tif 000011
【図６】
0004825883.tif 000012
【図７】
0004825883.tif 000013
【図８】
0004825883.tif 000014
【図９】
0004825883.tif 000015
【図１０】
0004825883.tif 000016
【図１１】
0004825883.tif 000017
【図１２】
0004825883.tif 000018
【図１３】
0004825883.tif 000019
【図１４】
0004825883.tif 000020
【図１５】
0004825883.tif 000021
【図１６】
0004825883.tif 000022
【図１７】
0004825883.tif 000023
【図１８】
0004825883.tif 000024
【図１９】
0004825883.tif 000025
【図２０】
0004825883.tif 000026
【図２１】
0004825883.tif 000027
【図２２】
0004825883.tif 000028
【図２３】
0004825883.tif 000029
【図２４】
0004825883.tif 000030
【図２５ＡＢ】
0004825883.tif 000031
【図２５Ｃ】
0004825883.tif 000032
【図２６】
0004825883.tif 000033
【図２７Ａ】
0004825883.tif 000034
【図２７Ｂ】
0004825883.tif 000035
【図２８】
0004825883.tif 000036
【図２９】
0004825883.tif 000037
【図３０】
0004825883.tif 000038
【図３１】
0004825883.tif 000039
【図３２Ａ】
0004825883.tif 000040
【図３２Ｂ】
0004825883.tif 000041
【図３３】
0004825883.tif 000042
【図３４】
0004825883.tif 000043
【図３５】
0004825883.tif 000044
【図３６Ａ】
0004825883.tif 000045
【図３６Ｂ】
0004825883.tif 000046
【図３７Ａ】
0004825883.tif 000047
【図３７Ｂ】
0004825883.tif 000048
【図３８】
0004825883.tif 000049
【図３９】
0004825883.tif 000050
【図４０】
0004825883.tif 000051
【図４１Ａ】
0004825883.tif 000052
【図４１Ｂ】
0004825883.tif 000053
【図４２Ａ】
0004825883.tif 000054
【図４２Ｂ】
0004825883.tif 000055
【図４３】
0004825883.tif 000056
【図４４】
0004825883.tif 000057
【図４５】
0004825883.tif 000058
【図４６Ａ】
0004825883.tif 000059